(57)【特許請求の範囲】
【請求項１】
カーペット構造体及び制御ユニットを有する照明装置であって、前記カーペット構造体は、光を生成するための光源を有する照明ユニット表側面を持つカーペットバックライトユニットを有するカーペットバックライトシステムであって、複数の前記光源を更に有する前記カーペットバックライトシステムと、カーペットユニット表側面及びカーペットユニット背面を有する光透過カーペットユニットとを有し、前記照明ユニット表側面及び前記カーペットユニット背面が隣接し、前記光透過カーペットユニットは、前記カーペットユニット背面から前記カーペットユニット表側面への方向に進む光の少なくとも一部を透過し、前記制御ユニットは、入力信号を受信し、前記入力信号に応じて、前記光源により生成される光を制御するための出力信号を生成する、照明装置。
【請求項２】
人をガイドするための方向を入力するユーザ制御可能な入力装置を更に有し、前記制御ユニットは、更に、入力された方向に応じて、当該方向を示す照明パターン形状となるように前記光源により生成される光を制御する、請求項１に記載の照明装置。
【請求項３】
センサ信号を生成するセンサを更に有し、前記制御ユニットは、前記センサ信号に応じて、前記光源により生成される光を制御する、請求項１又は２に記載の照明装置。
【請求項４】
前記制御ユニットは、前記センサ信号から人の位置を導きだし、人の前記位置に依存して、人をガイドするための方向を示す照明パターン形状となるように前記光源により生成される光を制御する、請求項３に記載の照明装置。
【請求項５】
前記制御ユニットは、更に、前記センサ信号から人の動きの方向を導きだし、人の前記動きの方向に依存して、前記光源により生成される光を制御する、請求項４に記載の照明装置。
【請求項６】
前記センサは、前記カーペットユニット表側面から見て、前記カーペット構造体の前記カーペットユニット背面の後ろに設けられる、請求項３乃至５の何れか一項に記載の照明装置。
【請求項７】
前記センサが圧力センサである、請求項６に記載の照明装置。
【請求項８】
センサ信号を生成するために設けられた一つ以上のセンサと、ユーザ入力装置信号を生成するために設けられたユーザ入力装置とを更に有し、前記制御ユニットは、前記センサ信号及び前記ユーザ入力装置信号の一つ以上に応じて、前記光源の光を制御する、請求項１乃至７の何れか一項に記載の照明装置。
【請求項９】
請求項１乃至８の何れか一項に記載の照明装置を備える光透過カーペットユニットの照明パターンを表示することにより人に情報を供給する、方法。
【請求項１０】
前記情報が人に対するナビゲーション情報を有する、請求項９に記載の方法。
【請求項１１】
前記照明装置がセンサ信号を生成するために設けられたセンサを更に有し、人が前記センサにより感知できるタグを有し、前記制御ユニットが前記センサ信号に依存して、前記ナビゲーション情報を制御する、請求項１０に記載の方法。
【請求項１２】
前記情報が商標、会社名、及びロゴの一つ以上を有する、請求項９乃至１１の何れか一項に記載の方法。
【請求項１３】
前記情報が広告を有する、請求項９乃至１２の何れか一項に記載の方法。
【請求項１４】
前記照明装置が、転倒防止用照明のため、人の存在又は動きを感知するように設けられたセンサを有する、請求項１乃至８の何れか一項に記載の照明装置の使用。
【請求項１５】
個人化されたビル内ナビゲーションシステム、デーティングカーペットユニット、照明された足跡を示すためのカーペットユニット、音に応じるカーペットユニット、カーペットユニット上の人又はアイテムの存在を示すためのカーペットユニット、小売通路案内カーペットユニット、シート案内カーペットユニット、広告カーペットユニット、動的指示カーペットユニット、ゲームカーペットユニット、非常口指示カーペットユニット、及び重量計カーペットユニットから成るグループから選択される一つ以上の請求項１乃至８の何れか一項に記載の照明装置の使用。
【発明の詳細な説明】
【技術分野】
【０００１】
本発明は、カーペットユニットを含む照明装置に関する。本発明は、更に、特定の目的のための照明装置だけでなく斯様な照明装置を使用して照明効果又は情報を供給する方法に関する。
【背景技術】
【０００２】
フロア上又はフロア内の照明は、従来から知られている。欧州特許ＥＰ０３２３６８２は、例えば、モジュラタイルの幾つかが、開口部内に位置される光透過モジュールプラスチックハウジングと、ハウジング内に位置される発光ダイオードとを持つ信号ユニットである、建造物の床をカバーするように配された当該モジュラカーペットタイルを有するビルディング内の移動の経路に沿ってビルディングの居住者をガイドするための装置を説明している。発光ダイオードは、電気的ケーブルを介して付勢され、これにより床上に視覚的に識別可能な経路を提供する。
【０００３】
米国特許出願公開公報ＵＳ２００７００３７４６２は、機能的な光ファイバを有する分散光ファイバスクリムを製造する方法、このようして製造された機能的な光ファイバスクリム、及び光ファイバスクリムが組み込まれる複合物について説明する。
【０００４】
米国特許公報ＵＳ４７９４３７３は、建造物内の床に沿った移動経路内において、建造物内の居住者を視覚的にガイドするための装置を説明する。この装置は、床の上にあるカーペットと、カーペットの下に配置された照明ストリップとから成る。照明ストリップは、細長いリボンを有し、横方向に間隔が開いた導電体のグループが、シート材料のリボン内に入って、長手方向に延在している。一連の光透過プラスチックハウジングは、プラスチックシート材料のリボンの共通の外面に沿って、長手方向に接続され配置される。光放射手段は、ハウジングの各々に配置され、シート材料のリボンに入っている導電体のグループの既定の導電体に電気的に接続されている。カーペットは、照明ストリップ上の一連の光透過ハウジングに対応して直列に配置されて延在する穴を持つ。
【発明の概要】
【発明が解決しようとする課題】
【０００５】
光機能を供給する光源がユーザに見えないような、照明機能をカーペットに提供することが望ましい。色効果又は変更情報のような動的照明効果を光源の光で作ることが、更に望ましい。ビルディング内の（個人的な）ナビゲーションシステムを提供することが、更に望ましい。バックライトを持つカーペットを有する、代わりの照明システムを提供することが、更に望ましい。これら要求の一つ以上からみて、本発明は、（カーペット、カーペットタイル又は複数のカーペットタイルのような）光透過カーペットユニットと光透過カーペットユニットの下に隠されているバックライトシステムとを含む照明システムを提案する。このようにして、動的な効果は、床の審美性に悪影響を及ぼすことなく作られる。更に、特定の実施例では、本発明は、ユーザと共に移動するように見える「指標システム」を使用することを提案する。ユーザ又は他の誰かが、次の指標システムを起動させるように、指標システムを起動できる。斯様な指標システムは、ここで提案される照明装置に基づく。
【課題を解決するための手段】
【０００６】
よって、カーペットタイル、複数のカーペットタイル又はカーペットのようなカーペットユニットと、カーペットユニットの後ろに配置されたバックライトシステムとを有する、代わりの照明装置を提供することが、本発明の一つの態様である。
【０００７】
第１の見地では、本発明は、カーペット構造体及び制御ユニットを有する照明装置であって、前記カーペット構造体は、光を生成するための光源を有する照明ユニット表側面及び照明ユニット裏側面を持つカーペットバックライトユニットを有するカーペットバックライトシステムであって、複数の前記光源を更に有する前記カーペットバックライトシステムと、カーペットユニット表側面及びカーペットユニット背面を有する光透過カーペットユニットとを有し、前記光透過カーペットユニットはカーペット及びカーペットタイルからなるグループから選択され、前記カーペットバックライトユニットの前記照明ユニット表側面と前記光透過カーペットユニットの前記カーペットユニット背面とが隣接し、前記光透過カーペットユニットは、前記カーペットユニット背面から前記カーペットユニット表側面への方向に進む光の少なくとも一部を透過し、前記制御ユニットは、一つ以上の入力信号を受信し、前記一つ以上の入力信号に応じて、前記光源により生成される光を制御するための一つ以上の出力信号を生成する照明装置を提供する。斯様な照明装置は、以下に見られるように、全種類の機能を満たすことができる。
【０００８】
よって、実施例では、カーペットバックライトシステムは、カーペットユニットを使用して人に情報を提供するような、カーペットユニットを通る照明を生成するように配されるディスプレイとして使用される。
【０００９】
好適には、斯様な照明装置は、個人化されたビル内ナビゲーションシステム、デーティングカーペットユニット、照明された足跡を示すためのカーペットユニット、音に応じるカーペットユニット、カーペットユニット上の人又はアイテムの存在を示すためのカーペットユニット、小売通路案内カーペットユニット、シート案内カーペットユニット、広告カーペットユニット、動的指示カーペットユニット、ゲームカーペットユニット、非常口指示カーペットユニット、及び重量計カーペットユニットから成るグループから選択される一つ以上に使われる。よって、カーペットユニット上を歩いたり立っているカーペットユニット上のユーザは、審美性の観点から特に望ましいように、光源（及び全体のバックライトシステム）を見なくてもよいが、それにもかかわらず、カーペットユニットは、例えばこのユーザに情報を提供するために使用される光をカーペット上に提供することが可能である。
【００１０】
制御ユニットは、出力信号に応じて、光源、複数の光源（下記も参照）、音声装置、ビデオ装置、温度制御器、気候コントロール、警報ユニット、自動電気ドア等から成るグループから選択される一つ以上のアイテム、特に少なくとも一つ以上の光源、更に好ましくはカーペットバックライトシステムの一つ以上の光源を制御するために配置される。斯様な実施例の制御ユニットは、ここで説明される他の実施例でもそうだが、カーペットユニットの一部でもよいが、カーペットユニットから外に配置されてもよい。
【００１１】
特定の実施例では、照明装置は一人以上の人々をガイドするための方向を入力するユーザ制御可能な入力装置を更に有し、制御ユニットは、入力された方向に応じて、一人以上の人々をガイドするための方向を示す照明パターン形状であるように、光源により生成される光を制御するように更に設けられる。例えば、斯様な照明装置は、特定のアイテム（店の製品、又は案内所若しくは案内ユニット）への道、又は（ホテル内の部屋、用品のデパートメントのような）スペースの特定の一部等への道を人々に示すために、互いに人々をガイドするために使用される。
【００１２】
更に別の実施例では、照明装置は、センサ信号を生成するように設けられるセンサを更に有し、制御ユニットは、センサ信号に応じて、光源により生成される光を制御するように更に設けられる。特定の実施例では、制御ユニットは、センサ信号から人の位置を得るように設けられ、人の位置に依存して、人をガイドするための方向、例えば制御可能な入力装置で選択される方向を示す照明パターン形状であるように、光源により生成される光を制御するように設けられる。特に、制御ユニットは、人の動きの方向をセンサ信号から得るように更に設けられ、人の動きの方向に依存して、光源により生成される光を制御するように設けられる。実施例では、センサは圧力センサである。斯様な圧力センサは、実施例では、人々の重さを計るように設けられてもよく、加えて又は代わりに、他の実施例では、人々を検知するように設けられてもよい。
【００１３】
実施例では、照明装置は、センサ信号を生成する一つ以上のセンサと、ユーザ入力装置信号を生成するユーザ入力装置とを更に有し、センサ信号及びユーザ入力装置信号の一つ以上に応じて、制御ユニットは光源の光を制御するように設けられる。好適には、これは、ホテル、工場又はデパートのようなビルディングの空間を通じて人々をガイドすることを可能にする。
【００１４】
センサは、可視光のような光信号を感知するセンサでもよいが、気圧、温度、煙、音、人又は動物（特に家畜）の存在、重さ、長さ等のような他の現象を感知するセンサでもよい。更に、センサは、カーペットユニットに一体化、すなわちカーペットユニット内に又はその背面に設けられてもよく、例えば、カーペットバックライトシステム内に一体化されてもよいが、また、カーペットユニットの上、壁の上、天井等のようなカーペットユニットから外部にあってもよい。光センサに関しては、斯様なセンサは、例えば、カーペットユニットが光透過性（下記参照）であるとき、バックライトシステム内に一体化されてもよい。よって、好ましい実施例では、カーペットユニット表側面から見たとき、センサは、カーペット構造体のカーペットユニット背面に設けられる。斯様な実施例では、カーペットユニットは、センサが光を感知できるように、光に対して透過性である。当業者に明らかであるように、複数のセンサが付与されてもよい。
【００１５】
特定の実施例では、センサは、人々を感知して、対応するセンサ信号を生成するように設けられる。例えば、他の実施例では、センサは、コード化された光信号を感知して、対応するセンサ信号を生成するように設けられる。他の実施例では、センサは、コード化された光信号を感知して、対応するセンサ信号を生成するように設けられる。これは、バックライトシステム内のような（下記も参照）カーペットの背面に位置される光源に情報の送信の仕方が直接的ではないので、有利である。カーペットが（少なくとも部分的に）光透過性であるので、符号化照明の使用が可能になる。センサは信号を感知し、（マイクロ）制御ユニットはセンサ信号に応じてカーペットの背面で光源を制御する。お返しに、カーペットの下の光源は、コード化された光の情報信号を返してもよい。これは、例えば、カーペットユニット表側面の下に位置される照明ユニットのネットワークを設定するために使用される。よって、特定の態様では、本発明は、複数のバックライトユニットを有するバックライトシステムを提供し、ここで、各バックライトユニットは、光源、（マイクロ制御ユニットのような）制御ユニット及びセンサを有し、バックライトユニットは、バックライトユニットから一つ以上の他のバックライトユニットへ光により信号を送受信するように設けられ、光による信号は、実施例では、コード化光である。
【００１６】
他の見地では、本発明は、（照明装置の）制御ユニットは、センサ信号から人の位置を導きだし、人の位置に依存して、人をガイドするための方向を示す照明パターンの形式で、光源により生成される光を制御するように設けられる。更に他の実施例では、（照明装置の）制御ユニットは、センサ信号から人の動きの方向を導きだし、人の動きの方向に依存して、光源により生成される光を制御するように設けられる。上述のように、人をガイドするための方向は、例えば制御可能な入力装置で選択される方向である。
【００１７】
更に他の見地では、転倒防止照明のようなカーペットユニット及び照明システムの特定の使用を提供する（更に、人の存在又は動きを検知するためにセンサが設けられてもよい）。更に、カーペットユニットは、特に光源又は照明装置と組み合わせて、個人化されたビル内ナビゲーションシステム、デーティングカーペットユニット、照明された足跡を示すためのカーペットユニット、音に応じるカーペットユニット、カーペットユニット上の人又はアイテムの存在を示すためのカーペットユニット、小売通路案内カーペットユニット、シート案内カーペットユニット、広告カーペットユニット、動的指示カーペットユニット、ゲームカーペットユニット、非常口指示カーペットユニット、及び重量計カーペットユニットから成るグループから選択される一つ以上のカーペットユニットとして使用されてもよい。
【００１８】
他の見地によると、本発明は、照明装置を備える光透過カーペットユニットの照明パターンを表示することにより人に情報を供給する方法も提供する。例えば、情報は人に対するナビゲーション情報を有する。特別な実施例では、照明装置は、センサ信号を生成するために設けられたセンサを更に有し、人が前記センサにより感知できるタグを有し、制御ユニットは、前記センサ信号に依存して、前記ナビゲーション情報を制御するように設定される。供給される情報は（また）、商標、会社名、ロゴ、広告の一つ以上を有する。
【００１９】
用語「光センサ」は、従来から知られていて、光を検出できる装置に関する。特定の実施態様において、センサは、可視光を検出するように調整される。本願での用語センサは、特に光センサに関するが、特定の実施例では、他のタイプのセンサと関係してもよい。センサが光を感知する場合、用語センサは、光センサを指し、斯様なセンサは、特に可視光を感知するように構成される。
【００２０】
本発明は、とりわけ、光と組み合わせたカーペットユニットの使用に基づく。光はカーペットユニット表側面で光をユーザに提供するため、カーペットの少なくとも一部を透過するが、（カーペットユニット内で又はその背面に一体化された）（光）センサにより検出されるために、代わりに又は追加的に、カーペットより上の光がカーペットユニットの少なくとも一部を透過してもよい。
【００２１】
光源が房（タフト）を通って見えない一方、カーペットユニットは、カーペットユニット表側面から、特に主要な裏地層の背面から、光が漏れるように特に設けられる。よって、好適には、光源は見えない。よって、用語「光透過カーペットユニット」は、光源が穴を通って見える又は光源が穴を通って貫通する穴を具備するカーペットを包含しない。下記のように、少なくとも糸及び主要な裏地層が許さないので、光源は、カーペットユニット表側面で観察者の目では見えないだろう。従って、主要な裏地層及び房、並びに任意の他の層（光源が斯様な任意の層の背面に配置される実施例では）は、光源の光に対しては光透過性である。
【００２２】
幾つかの実施例では、織物が人間の目に対して不透明であっても、本発明は、カーペットユニットの房を形成する糸が光を透過するのに十分な開口部を持つ構造体を形成するという事実を好ましくは使用する。外観理由のために、房は好ましくは、主要な裏地層が見えないような態様で供給されるが、光は房構造体を依然透過できる。照明システムの光源又は他の部品（例えばセンサ）を光に対して透過性の主要な裏地層の背面に配置することは、結果的に光源からの光が房のある表面から放射されることとなる。本願において、用語「房のある主要な裏地層」は、房を有する主要な裏地層に関する。
【００２３】
実施例では、カーペットユニットはカーペットバックライトシステムと組み合わせられてもよいが、代わりに又は追加的に、光源がカーペットユニットに埋め込まれてもよい。カーペットユニットとカーペットバックライトシステムとの組合せは、「カーペット構造体」としても本願では示されている。
【００２４】
実施例では、本発明は、光透過カーペット及び光透過カーペットタイルから成るグループから選択される光透過カーペットユニットのカーペットユニット背面でのバックライトとして適切なユニット裏側面及び照明ユニット表側面を持つカーペットバックライトユニットを有するカーペットバックライトシステムを供給し、ここで、照明ユニット表側面は、光を生成するために設けられた光源と転倒防止被覆とを有する。好ましくは、カーペットバックライトシステムは、複数の光源を有する。好適にも、カーペットバックライトシステムは、転倒防止被覆がなければバックライトシステムの存在のため部分的に失われるかもしれない転倒防止機能を良く提供する。
【００２５】
実施例では、ユニット裏側面も、転倒防止被覆を有する。転倒防止被覆は、粘着性付与剤を有してもよい。更に、転倒防止被覆は、錆抑制剤を（更に）有してもよい。
【００２６】
更に他の実施例では、カーペット及びタイルから成るグループから選択される光透過カーペットユニットのカーペットユニット背面でのバックライトとして適切なユニット裏側面及び照明ユニット表側面を持つカーペットバックライトユニットを有するカーペットバックライトシステムが供給され、ここで、照明ユニット表側面は、光を生成するために設けられた光源と付随の光学部品とを有し、前記光学部品は、光透過カーペットユニットへ光をガイドするように設けられるのに適していて、前記光学部品は、光透過カーペットユニットの少なくとも一部へ貫通するように設けられるのに適している。好適には、光が進む経路長が短い程、光の損失が少ない。更に、光学部品は、カーペットユニットをその位置に保つことに寄与してもよい。カーペットの第２の裏地又はタイルのタイル裏地のようなカーペットユニットの裏地は、比較的低い透過性を持つ。裏地の少なくとも一部を貫通させることにより、この課題は、少なくとも部分的に避けられる。
【００２７】
実施例では、照明ユニット表側面は基板凹部を有し、光源及び付随的な電子回路の一つ以上は基板凹部内に配置される。特定の実施例では、カーペットバックライトシステムは、光源を有する基板、好ましくはプリント回路基板（ＰＣＢ）を有する。斯様な基板は、最大１ｍｍの最大高さを持ち、任意の光学部品を含む照明ユニットは、最大でも３ｍｍの全体的な最大高さを持つ。特に、全体的な高さは、１ｍｍ以下又は０．２―１．５ｍｍのような最大で１．５ｍｍである。
【００２８】
カーペットバックライトシステムは、一つ以上の入力信号を受信するように設定され、一つ以上の入力信号に応じて、光源の光を制御するために一つ以上の出力信号を生成するように設定される制御ユニットを更に有する。
【００２９】
特に、本発明は、また、本願で規定されるような光透過カーペットユニット及びカーペットバックライトシステムのアレンジメントを有するカーペット構造体を供給し、ここで、バックライトシステムは一つ以上のバックライトユニットを有し、一つ以上のバックライトユニットの照明ユニット表側面と光透過カーペットユニットのカーペットユニット背面とは隣接し、光透過カーペットユニットは、カーペットユニット背面からカーペットユニット表側面への方向に進む光の少なくとも一部を透過するように設けられる。これは、結果的に、光源から光が房のある表面から放射されることになる。
【００３０】
更に別の実施例では、本願で規定されるような光透過カーペットユニット及びカーペットバックライトシステムのアレンジメントを有するカーペット構造体を供給し、ここで、バックライトシステムは一つ以上のバックライトユニットを有し、一つ以上のバックライトユニットの照明ユニット表側面と光透過カーペットユニットのカーペットユニット背面面とは隣接し、光学部品がカーペットユニットの少なくとも一部を貫通し、光透過カーペットユニットは、カーペットユニット背面からカーペットユニット表側面への方向に進む光の少なくとも一部を透過するように設けられる。好ましくは、光透過カーペットユニットは、複数の光学部品を少なくとも部分的に収容するように設けられた既定の形状の凹部を有する。よって一つの観点では、本発明は、また、カーペットバックライトシステムのバックライトユニットの一つ以上の光学部品を少なくとも部分的に収容するように設けられた、一つ以上の凹部を有する光透過カーペットタイルを供給する。
【００３１】
上述の光学部品は、有機及び無機透過材料から成るグループから選択される一つ以上の材料を有する。好ましくは、光学部品は、とがった先端表面を持つ。実施例では、光学部品は、円錐状、ピラミッド状、円筒状及び立方形状から成るグループから選択される形状を持つ構造体を有する。好ましい実施例では、光学部品は、光学部品の外部表面の少なくとも一部に配されるワイヤのような電気的伝導体を有する。カーペットユニットをバックライトシステムに適用するとき、伝導ワイヤ又は他の電気的伝導体で、好ましくは５０―２００℃の範囲の温度まで、電気的伝導ワイヤを加熱するために電流が生成される。このようにして、タイル裏地の一部は溶けて、これにより裏地を容易に貫通させやすくし、光学部品の少なくとも一部を収容できる。
【００３２】
更に他の実施例では、カーペットユニットは、カーペットユニットの少なくとも一部を通る光を受けるように設けられる光センサと結合される。よって、他の観点では、本発明は、カーペットユニット上部表面を供給する房のついた主要な裏地層と、中間接着剤層と、カーペットユニット裏側面を供給する裏地層との積層を有するカーペットユニットを供給し、ここで、カーペットユニットがカーペット及びカーペットタイルから成るグループから選択され、カーペットユニットは、センサ信号を生成するように設けられた光センサを更に有し、カーペットユニット上部表面から見て、光センサは、主要な裏地層の後に配置され、カーペットユニットは、カーペットユニット上部表面から光センサへ光を透過するように設けられている。実施例では、光センサは、中間の接着剤層及び裏地層の一つ以上に埋められる。更に他の実施例では、光センサは、カーペットユニット上部表面から見て、カーペットユニット裏側面の後にある。更に他の実施例では、接着剤層は、光透過ラテックス接着剤又は光透過アクリル接着剤を有する。もちろん、カーペットユニットは、複数の光センサを有してもよい。
【００３３】
他の利点は、カーペットユニットの中又は後ろは隠されているので、実質的にカーペットユニット上部表面だけがカーペットユニットの通常の清掃プロセスで掃除され、センサ（及び／又は光源）が掃除される必要はないということである。センサ及び／又は光源が、カーペットユニット全体を貫通するか、又は房の間の主要な裏地層から延在したならば、センサ及び／又は光源は、（通常の）清掃手順の間に損傷するか、又は汚れるかもしれない。
【００３４】
よって、他の観点では、本発明は、光を生成するために設けられた光源、制御ユニット及びカーペットユニットを有する照明装置を供給し、ここで、少なくとも一つの入力信号は、センサ、特に（上述したような）光センサから受け取られ、制御ユニットは、一つ以上の入力信号を受信し、一つ以上の入力信号に応じて、光源により生成される光を制御するため一つ以上の出力信号を生成するように設定される。この（光）センサは、カーペットユニット内に、カーペットユニットの背面に、又はカーペットユニットからの外部に配置されてもよい。特定の実施例では、センサは、カーペットユニット内に、又は背面に配置された光センサである。光源は、カーペットユニットから外部、カーペットユニットが配される部屋のどこかに配されてもよいがカーペットユニット表側面の裏に配されてもよいことに留意されたい。
【００３５】
特定の実施例では、光センサは、人々を感知し、対応するセンサ信号を生成するように設けられる。他の実施例では、光センサは、コード化された照明信号を感知し、対応するセンサ信号を生成するように設けられる。
【００３６】
特に、また、（ａ）（床に配される）複数の光源を有する（バック）ライトシステムと、（ｂ）バックライトシステム上に配される複数の光透過マルチレイヤカーペットユニットとを有するカーペットを敷いた床（本願では、「カーペット構造体」としても示される）が供給される。このように、カーペットを敷いた床は、（照明システムの一つ以上の光源がスイッチオンされるとき）（カーペット）光、すなわちカーペットタイルから放射される光を供給するために使用される。
【００３７】
バックライトシステムの利点は、光源がカーペットユニット内に埋め込まれていないということであり、光効果（標準化されていないカーペット＋必要な照明製品）をデザインする柔軟性を改善し、更に将来バックライトシステムを変えるか又は置き換える可能性も向上させる。特に、実施例では、斯様なカーペット構造体床は、情報を光に供給し、すなわち床に照明パターンを特に作るために使用される。斯様なカーペット構造体又はカーペットを敷いた床は、照明装置（上記も参照）の一部でもよい。更に他の態様によると、本発明は、パッドにオプションで一体化されるか又はパッド上に置かれる、床にバックライトシステムを設けるステップと、照明システム上に（幅広絨毯）カーペット又は複数のカーペットタイルを設けるステップとを有するカーペットを敷いた床を供給する方法を提供する。
【００３８】
更に、カーペットユニットから外部に設けられてもよいが、カーペットユニットに一体化されてもよい、（個別の又は複数の）光源を制御するように配される制御ユニットが供給されてもよい。このようにして、また、特定の方向を指示している矢印や、商業的な情報のような情報が提供される。カーペット光（すなわち、カーペットユニット内の又は背面に埋め込まれる光源により生成される光）の色、オン／オフ動作の状態、強度、パターン形状及び情報コンテンツの一つ以上は、可変的で、制御ユニットにより制御される。更に光の色、オン／オフ動作の状態、強度、パターン形状及び情報コンテンツの一つ以上は、（タッチ若しくは接近／存在センサ又は火検出器のような）センサのセンサ信号に依存し、例えば、センサがカーペットユニット上の、又はその近くの対象物を感知するように設けられ、制御ユニットは、センサ信号に依存して、光の色、オン／オフ動作の状態、強度、パターン形状及び情報コンテンツの一つ以上を制御するように設けられる。従って、更に他の実施例では、カーペットユニットは、カーペットユニットから外部に配置されてもよいが、カーペットユニット内に一体化されてもよいタッチ又は接近センサのようなセンサを更に有する。
【００３９】
更に他の実施例では、本発明は、センサ及び制御ユニットと組み合わせたカーペットユニットを供給し、ここで、センサが接近されるか又はタッチされるとき、センサはセンサ信号を供給するように設けられ、制御ユニットは、光源の（色、色分布、光強度、光強度分布、点滅周波数等の一つ以上のような）照明パラメータ、複数の光源の光のパターン形状及び複数の光源の光により供給される情報コンテンツから成るグループから選択される一つ以上のパラメータを制御するように設けられる。パターン又は情報は、一般に複数の光源により供給される。
【００４０】
用語「光源」は、複数のＬＥＤのような複数の光源も指す。よって、光源は、複数の光源を指してもよい。特定の実施例では、用語「ＬＥＤ」は、複数のＬＥＤも指す。用語「複数のＬＥＤ」は、２つ以上のＬＥＤ、特に２―１００，０００のＬＥＤ、例えば１６―２５６のような、４―３００のような２―１０，０００のＬＥＤを指してもよい。よって、カーペットタイル又は照明システムは、複数のＬＥＤを有してもよい。一般に、カーペットユニットは、２―４０，０００ＬＥＤ／ｍ２、特に２５―１０，０００ＬＥＤ／ｍ２を有する。光源は、小さな白熱灯、ファイバチップ、又は（光をファイバから逃がすように設けられた（この実施例は比較的安価であるという利点を持つ））不規則ファイバのような任意の光源を有してもよいが、特に（光源として）ＬＥＤ（発光ダイオード）を有する。ＬＥＤを使用する特別な利点は、ＬＥＤが比較的小さく、これによりカーペットユニット内（凹部）で、又はその下に良く適合するということである。前述したように、１ｍｍより薄い照明システムの総厚みが好まれ、これはＬＥＤだけで達成される。用語ＬＥＤは、ＯＬＥＤを指してもよいが、特に半導体照明を指す。特に明記しない限り、本願の用語ＬＥＤは、更に半導体ＬＥＤを指す。特に、光源は、複数の光源を有する照明システムの一部である。斯様な照明システムは、カーペットパッド又は床下で一体化されてもよい。
【００４１】
好ましい実施例では、光源は、一つ以上のＬＥＤを有する。光源としての複数のＬＥＤが適用される他の実施例によると、ＬＥＤは、赤緑青の（ＲＧＢ）ＬＥＤである。例えば、ＬＥＤの一部は赤色ＬＥＤであり、他の部分は緑色ＬＥＤであり、更にもう一つの部分は青色ＬＥＤである。これはカーペットの色を変更可能にするので、ＲＧＢのＬＥＤの使用は有利である。例えば、白色の房がＲＧＢのＬＥＤと組み合わせて使用されるとき、カーペットの色を所望の色に変えることが可能である。例えば、色に対するＲＧＢのＬＥＤを緑色に設定することにより、カーペットの房は緑色に見える。しかしながら、また、青色及び黄色、又は青色、黄色及び赤色のような他の色の組合せが、複数の３つ以上の色が使用されるのと同程度に使用できる。また、カーペットが必ずしも白色である必要はない。例えば、カーペット一番上の表面は、茶色、グレイ、又は黒でさえよい。これは、常に白色の表面に全ての色を生成させることを必要としているプロジェクタ又はビーマーのような技術では、出来ることではない。
【００４２】
用語「青色光」又は「青色の放射」は、約４１０ないし４９０ｎｍの範囲の波長を有する光に特に関係がある。用語「緑色光」は、約５００ないし５７０ｎｍの範囲の波長を有する光に特に関係がある。用語「赤色光」は、約５９０ないし６５０ｎｍの範囲の波長を有する光に特に関係がある。用語「黄色光」は、約５６０ないし５９０ｎｍの範囲の波長を有する光に特に関係がある。本願における「光」という用語は、可視光、すなわち約３８０ないし７８０ｎｍの範囲内から選択される波長を有する光に特に関係がある。カーペットから、すなわちカーペットタイル上部面からカーペット上の空間へ放射される光は、本願では「カーペット光」とも呼ばれる。本願における用語「白色光」は、当業者には既知である。それは、特に、約２０００〜２００００Ｋ、特に２７００〜２００００Ｋの相関色温度（ＣＣＴ）を有する光に関係があり、一般照明に関しては特に約２７００Ｋ及び６５００Ｋの範囲、バックライティングの目的に関しては特に約７０００Ｋ及び２００００Ｋの範囲において関係があり、特にＢＢＬ（黒体軌跡）から約１５ＳＤＣＭ（等色標準偏差）以内、特にＢＢＬから約１０ＳＤＣＭ以内、更に特にはＢＢＬから約５ＳＤＣＭ以内に関係がある。
【００４３】
用語「透過性」、「光に対して透過する」、「光に透過する」又は「光透過性」は、層のような材料により透過される光に関係する。本願において、用語「透過された」又は「透過」は、そのままの透過（実質的に材料内で散乱がない）及び／又は妨げられた透過（半透明材料においてのような、散乱された後）に関係する。よって、用語「光に対して透過する」又は「光透過性」は、また、本願で「透過」として示されてもよい。透過又は透過性は、第１の強度を持つ特定の波長で光を材料に供給し、材料を通って透過後に測定されるその波長で統合された光の強度を、その特定の波長で材料に供給される光の第１の強度に関連させることにより決定できる（Ｃｈｅｍｉｓｔｒｙ及びＰｈｙｓｉｃｓ、第６９版、１０８８―１９８９のＣＲＣＨａｎｄｂｏｏｋのＥ―２０８及びＥ―４０６参照）。特にハイパワーＬＥＤを使用するとき、このアプリケーションにとって低い透過でさえ可能であることに注意されたい。一般に、主要な裏地層、第２の裏地層及び接着材層の光に対する透過性は、すなわち、カーペットの上部の層への方向に進む可視光に関係して特に決定される。一般に、カーペットユニットを横断する透過が測定され、すなわちカーペットユニットの上部表面又はカーペットユニットの背面と実質的に垂直に当たる光が、カーペットユニット（の少なくとも一部）を通るその光の透過性を測定するために使用される。
【００４４】
好ましくは、カーペットユニット上部表面と、（光源又は光センサが、カーペットユニットに埋め込まれたり、好ましくは主要な裏地の後ろに、又は（カーペットユニット背面でのような）全体のカーペットユニットの後ろにさえ配置される）光源、光センサ又は斯様な光源若しくは光センサの他の部品との間のカーペットユニットの光透過性は、（以下にも参照のように、可視光で垂直な放射の下、測定して）範囲０．５―１０％のような約０．５―３０％、好ましくは０．５―１５％の範囲である。好ましくは、透過性は、少なくとも５％のような、約１％より大きい。好ましくは、全体のカーペットユニットを通る透過性は、（以下にも参照のように、可視光で垂直な放射の下、測定して）範囲０．５―１０％のような約０．５―３０％、好ましくは０．５―１５％の範囲である。好ましくは、透過性は、少なくとも５％のような、約１％より大きい。
【００４５】
特に明記しない限り、適用でき技術的に可能な所では、多くの要素「から成るグループから選択される」という語句は、列挙された要素の２つ以上の組合せも指してもよい。
【００４６】
用語「下」、「上」、「上部」及び「底部」は、カーペット又はカーペットタイルが実質的に水平な表面と実質的に平行である表面又は斯様な表面上のカーペットタイル底部表面を持つ実質的に水平な表面上で実質的に平らに配置されるとき、得られる部材の位置又は配置（アレンジメント）に関する。しかしながら、これは、壁に対するような他の配置、すなわち他の（垂直な）配置のカーペットタイルの使用を除外しない。
【００４７】
「カーペットユニット表側面の後ろで」又は「表側面の後ろで」等の用語「後ろ」は、ユーザ側、すなわち表側面から見て、カーペットユニット表側面の後ろ又は下に位置されるカーペットユニットの部分を一般に示す。それは、カーペットユニットの後ろの部分、すなわちカーペットユニット背面の後ろの部分も示す。用語「隣接する」は、当分野で知られていて、例えば０―１０ｍｍの距離の範囲内のような付近を特に意味する。特定の実施例では、用語「隣接する」は、物理的な接触を指す。カーペットユニット裏面及びバックライト表側面が隣接する実施例では、これは、カーペットユニットの少なくとも一部とバックライトユニットの少なくとも一部とが物理的接触を持つことを特に示す。
【００４８】
上述されたように、カーペットユニットは、カーペット、カーペットタイル又は複数のカーペットタイルでもよい。ここで更に幾らか詳細に、房のあるカーペットが説明される。この部分は、とりわけ、カーペット積層体に埋め込まれる光源を説明する。しかしながら、好ましい実施例では、光源は、カーペット積層体の後ろに完全に配置される（すなわちカーペットユニット背面の後ろに）。
【００４９】
カーペットは、（カーペットとして使用の間、ユーザに向いている側に）房を形成する糸を具備する主要な裏地層と、第２の裏地層と、主要な裏地層と第２の裏地層との間に供給され一般的な接着材層とを一般に有する。糸は、人々が歩いたりすることができる堆積表面から突出する房を形成するために主要な裏地層を貫通する。糸は通常緩く、接着剤（接着材層から）で付着される必要がある。主要な裏地層の背面に存在する接着材層は、主要な裏地層及び第２の裏地層を接着させるだけでなく、房を主要な裏地層に接着させ、房をその場所に保持させる。後者は、第１の接着材層の上にある第２の接着材層で達成されてもよい。
【００５０】
好適には、カーペット光は、カーペットの（ここでは表側面としても示される）表面の裏で、より正確に言うと主要な裏地層の裏で生成され、これにより光源（及び／又は光センサ）を保護し、かなり均質な照明を可能にする。
【００５１】
本願の用語カーペットは、房のあるカーペットを指すが、実施例では房のある敷物を指したり、他の実施例では房のあるゴブリンも指す。更に他の実施例では、用語カーペットは、房のある自動車マットを指す。例は、壁若しくは屋根カバーとして使用される房のあるカーペット、又は房のあるバスマットである。本願では、光を放射する房のあるカーペットが、「カーペット」又は「房のあるカーペット」として更に示されてもいる。
【００５２】
主要な裏地層及び第２の裏地層は、既知の技術により互いに積層されている。従って、本願では、カーペットは、「カーペット積層体」又は単に「積層体」としても示される積層体である。好ましくは、接着材層が、主要層及び第２の層を互いに接着するために付与される。よって、実施例では、光を放射する房のあるカーペットは、主要な裏地層と第２の裏地層との間に配置される接着剤層上部表面及び接着材層底部表面を持つ接着材層を更に有し、接着材層はカーペット光に対して好ましくは少なくとも部分的に透過性である。
【００５３】
本発明は、実施例では、積層体を有する房のあるカーペットを供給し、積層体が、主要な裏地層と、接着材層と、オプションで光源及び／又は光センサと、第２の裏地層とを有する。よって、この実施例では、主要な裏地層の主要な裏地層底部表面の少なくとも一部が、接着材層の接着材層上部表面の少なくとも一部と接触し、接着材層の接着材層底部表面（接着材層上部表面の反対側）の少なくとも一部が、第２の裏地層上部表面の少なくとも一部と接触する。このように、本願では、主要な裏地層、接着材層及び第２の裏地層の「積層」である積層体が供給される。
【００５４】
積層体は、主要な裏地層カーペット表面である上部層（「カーペット上部層」）を持つ。この層は、房を有する。更に、積層体は、カーペット底部層を持つ。このカーペット底部層は、実施例では、第２の裏地層底部表面である。一つの実施例では、カーペットは、第２の裏地層を全く持たず、主要な裏地層だけが供給される。
【００５５】
しかしながら、積層体は、上記の示された主要な裏地層、任意の接着材層及び任意の第２の裏地層以外の多くの層をオプションで更に有してもよい。斯様な任意の層は、主要な裏地層と接着材層との間、主要な裏地層と第２の裏地層（接着材層が存在しない実施例では）との間に、接着剤層と第２の裏地層との間、又は第２の裏地層の下等に配置されてもよい。斯様な付加的な任意の層の実施例は、以下に示される散乱層及び反射層である。複数の任意の他の層が、カーペット積層体内に存在してもよい。
【００５６】
用語「主要な裏地層」は、複数の層を有する主要な裏地層を含む。同様に、用語「第２の裏地層」は、複数の層を有する第２の裏地層を含む。特に、カーペットが人間の目に対して不透明であるように見える場合であっても、カーペットの房を形成する糸は、光を透過するのに十分な開口部を持つ構造体を形成する。外観の理由のために、房は、主要な裏地層が実質的に見えないが、光が房構造体を通って依然通過できる態様で、好ましくは供給される。光に対して透過性がある主要な裏地層の後ろに光源を配置することは、結果的に光源からの光が房のある表面から放射されることになる。斯様な房のあるカーペットは、光を放射する部分のより少ないサイズ制限を持つという利点を持つ。例えば、光放射の位置で、主要な裏地層が除去される必要はない。
【００５７】
本発明の他の実施例によると、主要な裏地層は、光に対して透過性である。この説明で使用されているように、用語「光に対して透過性」又は「光透過性」は、拡散の有無にかかわらず、可視光の全部又は一部が物質を通過可能であることを意味する。これは、主要な裏地層による光源から放射される光の強度の減少が、低減されるという利点を持つ。主要な裏地層の第１の側に到達する光源からの光強度の１％のような０．５％を超えて、５％を超えて、１０％以上を超えて、又は３０％を超える光が、主要な裏地層（下記参照）を通って透過される。
【００５８】
用語「可視光の一部が、通過可能である」は、全ての可視光が部分的に透過される（すなわち、１００％未満が透過される）ことを示すが、代わりに又は追加的に、可視光スペクトルの幾らかの部分が（部分的に）透過され、他の部分が実質的に透過されないことも示してもよい。当業者に知られているように、特に接着剤層（光に対して透過性である場合）は、可視スペクトルの幾らかの部分が可視スペクトルの他の部分に対してよりもより透過しやすい。
【００５９】
本発明の他の実施例によると、主要な裏地層は、房によりカバーされる開口部を持つ。開口部は、放射される（「透過」）光の強度を増大する。主要な裏地層のための材料の選択の自由度は、ここでは、主要な裏地層の材料が光に対して透過性でなければならないという規制がないので、高い。例えば、織られた織物が、主要な裏地層として使用されてもよい。これは、織られた構造体の糸の間に開口部を持つ。
【００６０】
この説明で使用されるように、用語「第２の裏地層」は、堆積表面とは反対側のカーペットの表面を形成する裏地層を含む。斯様な層は、通常、「第２の裏地層」と呼ばれ、市販されている。これらの「第２の裏地層」は、これらがカーペット裏地層によく適していて、カーペット工場で使用されるカーペット製造方法によく適合するという利点を持つ。第２の裏地層を使用する利点は、カーペットに強度を供給するだけでなく、任意の光源の保護でもある。よって、好ましくは、本発明による房のあるカーペットは、第２の裏地層を有する。しかしながら、本発明は、第２の裏地層の存在に限定されず、接着材層から離れて向かい合う第２の裏地層側（すなわち第２の裏地層底部表面とカーペット底部層との間）にだけでなく他の所（上記も参照）にも、更なる及び／又は他の層が存在してもよい。
【００６１】
本発明の他の実施例によると、主要な裏地層及び第２の裏地層の少なくとも一つは、ポリプロピレン、ナイロン又はジュートを有する。これらの材料は、これらが比較的低コストであるという効果がある。ポリプロピレン又はナイロンを持つ光透過性構造体を製造することは容易である。また、これらの材料が既存の房のあるカーペットに一般に用いられているという事実は、本発明によるカーペットを製造することを容易にする。これらの裏地層は、上記の材料から実質的に成ることに留意されたい。
【００６２】
本発明の他の実施例によると、第２の裏地層は、少なくとも約７０ｍ３／分／ｍ２の通気性を持つ。第２の裏地層の通気性は、０．５インチ（１．２７ｃｍ）水に等しい圧力差で、ＡＳＴＭＤ―７３７に従って決定されることができる。受け入れられる値は、２５０ｆｔ３／分／ｆｔ２（７６．２ｍ３／分／ｍ２）であるが、より好適な値は、３５０―８００ｆｔ３／分／ｆｔ２（１０６．７―２４３．８ｍ３／分／ｍ２）の範囲である。約７０ｆｔ３／分／ｆｔ２（２４．４ｍ３／分／ｍ２）より低い通気性を持つ第２の裏地層は、高い結合剤硬化速度に対して不十分であると考えられる。
【００６３】
本発明の他の実施例によると、カーペットは、主要な裏地層と第２の裏地層との間に少なくとも４４．６ｋｇ／ｍの層間剥離強さを持つ。この要件は、時々「剥離強度」としても示され、通常ＡＳＴＭＤ―３９３６に従って検定される。
【００６４】
主要な裏地層は、カーペット上部層（時々「堆積表面」としても示される）である主要な裏地層カーペット表面及び主要な裏地層底部表面を持ち、任意の第２の裏地層は、第２の裏地層上部表面及び第２の裏地層底部表面を持つ。主要な裏地層は、主要な裏地領域を持ち、（オプションの）第２の裏地層は、第２の裏地領域を持ち、これらの領域は概して実質的に同じであり、概して実質的にカーペット領域と同じである。
【００６５】
本発明の他の実施例によると、第２の裏地層は、通気道のための開口を持つ。接着材層のために使用される気化結合剤は、カーペットの硬化の間、開口部を通過できる。この実施例では、第２の裏地層の通気性が十分に高いことが確実にされる。
【００６６】
更に、第２の裏地層に関して、実施例では、この第２の裏地層は、ＡｃｔｉｏｎＢａｃ（登録商標）で既知のもののような第２の裏地層のための既存の製品に基づく。これは、スリットフィルム及び紡いだオレフィン糸のもじり織りでできた裏地である。これは、ポリプロピレン縦糸テープを持つ平方ヤード当たり２．１オンス（１５平方メートル当たり０．７１グラム）ファブリックと、1インチ当たり（２．５４ｃｍ当たり）１６の縦糸及びインチ（２．５４ｃｍ当たり）５ピックの平均を持つもじり織りのポリプロピレンマルチフィラメントピックとを持つ。斯様な裏地層は、カーペットの良好な層間剥離強度を持つ次元安定性を与える。この裏地層は、また、製造の間、強力な硬化速度によく適した開放性を持つ。０．５インチ水に等しい圧力差を持つＡＳＴＭＤ―７３７に従って決定されるこの裏地層の通気性は、約７５０ｆｔ３／分／ｆｔ２（２２９ｍ３／分／ｍ２）を超え、これは強力な結合剤硬化速度に対して十分である。より高いカウント１８ｘ１３のもじり織り構成を持つ別の製品は、約７２０ｆｔ３／分／ｆｔ２（２１９ｍ３／分／ｍ２）より上の平均通気性を持つ。これは、効率的な硬化速度にも良く適している。好ましくは、第２の裏地層２０は、接着材層５０のために使用される材料との高い接着性互換性を持つので、カーペット１００はＡＳＴＭＤ―３９３６に記載されている試験のような層間剥離試験にパスするだろう。層間剥離抵抗を与えている特性は、好ましくは、記載されている基準カーペットで積層されるとき裏地層が少なくとも２．５ポンド／インチ（４４．６ｋｇ／ｍ）の層間剥離強さを持つようでなければならない。しかしながら、好適な値は、３―４ポンド／インチ（５３．６―７１．４ｋｇ／ｍ）より大きく、更に好ましくは少なくとも５．５ポンド／インチ（９８．２ｋｇ／ｍ）であり、更により好ましくは少なくとも６ポンド／インチ（１０７．１ｋｇ／ｍ）である。層間剥離を防止するための良好な結合が必要とされる。結合は、硬化の間、カーペットから気化する結合剤液体の通路を妨げないために充分な開放性を持つことにより改善される。
【００６７】
第２の裏地層の通気性は、０．５インチ水（上記も参照）に等しい圧力差を持って、ＡＳＴＭ標準Ｄ―７３７に従って決定できる。受け入れられる値は、２５０ｆｔ３／分／ｆｔ２であるが、より好適な値は、３５０―８００ｆｔ３／分／ｆｔ２の範囲である。例えば、約７０ｆｔ３／分／ｆｔ２より低い値を持つ第２の裏地層は、高い結合剤硬化速度に不十分であると考えられている。例として、ＡｃｔｉｏｎＢａｃ（登録商標）は、非常に適切な第２の裏地層であり、７５０ｆｔ３／分／ｆｔ２を超える。
【００６８】
実施例では、カーペットユニット表側面から見て、光源は、カーペットユニット背面の後に配置される。斯様な光源は、バックライトシステムの一部であり、及び／又はカーペットユニット背面に取付けられる。カーペットユニットから離隔された光源は、一部又は全体のカーペットユニットを交換する必要なく、光源が置き換えられるという利点を提供する。特にカーペットユニットが（幅広絨毯）カーペットである実施例では、組込形ＬＥＤを具備する幅広絨毯カーペットを生産することはかなり複雑であるので、これは有利である。カーペットタイルを使用するとき、カーペットタイルは床に一般に接着されず、従って、置き換えるのが容易であるので、また有利である。カーペットユニットは、単に（部分的に）取り外され、光源が置き換えられて、カーペットユニットは、（実質的に）その最初の位置に置くことができる。複数の光源があるとき、光源は、本願で説明された実施例の一つ以上に従って配される。カーペットユニットの後に光源を配置することは、また、ユーザが照明システムを置き換える必要なしに、カーペットを置き換えることができる。
【００６９】
後で言及されるように、幾つかの実施例では、光源はカーペットの接着材層内に埋め込まれる。
【００７０】
本発明の他の実施例によると、ＬＥＤのような光源は、第２の裏地層に統合され、ここにおいて、第２の裏地層は、光源から接着材層まで光の透過を可能にするため光に対して透過性であるか、又は光源は第２の裏地層の上部表面に具備される。光源及び第２の裏地層のこれらの２つの配置は、カーペットの主要な裏地層の上部面へ更に伝達されるように、光源からの光が接着材層に達することを確実にする。このアプローチの利点は、光源がカーペットの積層構造体内で保護されることである。ＬＥＤのような光源は、例えば電子回路に損害を与えるか、又は電子回路周辺で水密の封止に損傷を与える例えば摩滅又は衝撃から保護されている。積層の表面側で、光源は房を持つ主要な裏地層により保護され、当該積層の反対側で、ＬＥＤは第２の裏地層により保護されている。背面の保護は、特にカーペットの設置の間、重要である。よって、カーペットの光透過性の第２の裏地層において、本発明を利用することは、また好適である。その理由は、高品質カーペットにとって、第２の裏地層の特定の通気性が、高い層間剥離強度を達成するために必要であるということである。
【００７１】
幾つかの実施例では、第２の裏地層の一部は、光学部品、電子回路及び光源でカバーされる。ベースの第２の裏地層が十分に高い通気性を持つ場合、これは受け入れられる。例えば、表面の５０％がカバーされる場合、通気性は、最悪の場合に、通常の通気性の５０％に減少する。従って、２５０ｆｔ３／分／ｆｔ２の受け入れられる通気性を達成するために、５００ｆｔ３／分／ｆｔ２を超える通気性持つ第２の裏地層を使用すべきである。例として、ＡｃｔｉｏｎＢａｃ（登録商標）は、７００ｆｔ３／分／ｆｔ２を超える通気性を持ち、従って本発明のために使用される。他の何れの既存の第２の裏地材料も、本発明で使用される第２の裏地層２０の基礎として使用されてもよいことに留意されたい。他の例は、ニードルフェルト裏打ち、ゴム裏打ち、ＰＶＣ裏打ち、ポリウレタン裏打ち、ビニル裏打ち、クッション裏打ち、ナイロン裏打ちである。ニードルフェルト裏打ちの繊維は、接着するために縫われる。クッション又はパッドが第２の裏打ちで一体化されてよいことも留意されたい。第２の裏打ち材料の他の例は、瀝青である。この材料は、例えばカーペットタイルで、又は自動車マットでのような余分のしっかりしたカーペットが必要とされるとき、使用される。幾つかの実施例では、瀝青は接着剤としても使用される。上述されたように、好ましくは、第２の裏地層は、本発明による房のあるカーペット１００に含まれる。
【００７２】
接着材層は、主要な裏地層に向けて接着材層上部表面と第２の裏地層へ向けて接着材層底部表面とを有する。また、用語「接着材層」は、実施例では、（前被覆層及び接着材層のような）複数の接着材層を有する接着材層を含んでもよいし、他の実施例では、（混合物のような）接着剤の複数有する接着材層をもう一つの実施例では含む。例えば、接着材層は、主裏地の背面にあり、房を主要な裏地層に接着し、主要な裏地層及び第２の裏地層を互いに（例えば接着材層内の光源と）接着するだけでなく、房を適所に保持する。又は、第１の接着材層は、主裏地の背面にあり、房を主要な裏地層に接着し、房を適所に保持し、主要な裏地層及び第２の裏地層を接着するために（例えば第２の接着材層内の光源と）、第２の接着材層を第１の接着材層の上に保持する。オプションで種々異なる接着剤にも基づいているにもかかわらず、斯様な接着材層は一つの接着材層として本願で示されている。
【００７３】
特に光源が接着材層内に少なくとも部分的に設けられる実施例では、より特には、光源が主要な裏地層と物理的接触せず、接着材層により少なくとも部分的にカバーされるか、又は接着材層の後にある実施例では、接着材層がカーペット光（すなわち、光ファイバからカーペットの外部へ漏れる光）に対して透過性であることが好ましい。よって、実施例では、接着材層は、カーペット光に対して透過性である。従って、束を適所に保持する接着材層は、実施例では、主要な裏地層の下で適所に光源を保持するために使用される。光源は、主要な裏地層の主要な裏地層底部面と接着材層の接着材層上面との間に位置される。開口部が、主要な裏地層に向けられた接着材層上面の表面に供給されてもよく、そこに光源が配置できる。
【００７４】
本発明の好ましい実施例によると、接着材層は、光源から主要な裏地層への光の伝達を可能にするため光に対して少なくとも部分的に透過性である。これは、光源が接着材層上面の下に配置されることを可能にする。この場合オプションで、光源は、追加接着手段と適所で固定される。光源は、接着材層内に完全に封入されてもよい。
【００７５】
代わりに、光源は、接着材層の下に配置されてもよい。
【００７６】
本発明の他の実施例によると、接着材層は、充填材とも呼ばれる光散乱粒子を有する。充填材はカーペットのコスト低減に効果がある一方で、同時に接着剤を大きくする。充填材は、難燃性の要件を満たすことも必要である。充填材が光を散乱するので、これは結果的に、カーペットからの光がオリジナルの放射スポットより大きい領域から発しているように見えることになる。これは、均一な光放射が所望されるときに有利である。光散乱粒子は、炭酸カルシウム又はＴｉＯ２のような他の物質でもよい。炭酸カルシウムの利点は、比較的低コストであるということである。炭酸カルシウムは、方解石又はチョークの形式でもよい。光散乱粒子は、カオリン充填材のようなカオリナイトでもよい。通常は、充填材が例えば６００グラム／リットルのような量で用いられるが、本発明の多くの実施例にとって、光透過性を増大させるために非常に低い量が使用されることが好ましい。
【００７７】
充填材の前述された有効な特性とは対照的に、接着剤及び特に前被覆層を光透過性にするために、光散乱又は照明吸収粒子を好ましくは実質的に含むべきではない。これが（例えば、これらの粒子の難燃性特性のため、又は上述のように所望の照明効果を生成するという理由のため）可能でない場合、充填材の量は好ましくは可能な限り減らされなければならない。代わりに、充填材は、光を散乱させないか又はＣａＣＯ３のような従来の充填材より少なく光を散乱させる他の充填材と好ましくは置き換えられるべきである。これは、例えば、接着材と比較して類似の屈折率を持つ充填材を選択することにより達成される。例えば、我々は、Ａｌ（ＯＨ）３がラテックスと結合して比較的低い散乱を持つとわかった。我々は、高度な純度（例えば―９９％）を持つ充填材の使用が光伝達を改善することもわかった（例えば、通常はカーペットに使用されるＣａＣＯ３充填材は、ＣａＣＯ３の不純物のため、色が褐色がかっていることは知られている）。
【００７８】
本発明の他の実施例によると、接着材層は、導電粒子を有する。導電粒子は、カーペットに静電気防止特性を与える。導電粒子は、例えば、カーボンブラック、カリウムギ酸塩（ＨＣＯＯＫ）、酸化スズ、酸化インジウムスズ又は銀である。本発明の他の実施例によると、接着材層は、抗酸化剤を有する。抗酸化剤は、接着材層をより熱に強くする。ＬＥＤのような光源はかなりの熱量を生成するので、これは有利である。また、抗酸化剤のないラテックスは、より急速に経年変化して、しばらく後に黄色になり、そのため、光源からの光のような光を吸収し始める。
【００７９】
本発明の他の実施例によると、接着材層は、ラテックスを有する。ラテックスは、光透過性ラテックスである。接着材層がラテックスから実質的に成ることに留意されたい。ラテックスは、スチレン、ブタジエン及び酸性のビニル単量体の三量体に基づいている。接着剤層が実質的に光透過性ラテックスから成り、実質的に光散乱粒子を有しないとき、光源からの光は効率的にカーペットを離れることができる。よって、好ましくは、光散乱充填材が接着剤に使用されず、接着材層は光透過性である。従って、実施例では、接着材層は、光散乱粒子を含まない。
【００８０】
フレーズ「含まない」及び同様のフレーズ又は用語は特に何かが「実質的にない」ことを示す。前述したように、例えば難燃性要件のため全ての光散乱粒子を排除することは可能でないかもしれないが、光散乱粒子の量はできるだけ低くなければならない。
【００８１】
本発明の他の実施例によると、接着材層は、アクリルを有する。アクリルは、光透過性アクリルでもよい。接着材層が実質的にアクリルから成ることに留意されたい。アクリルの例は、ポリアクリレートエステルである。アクリルの利点は、硬度、柔軟性及びＵＶ抵抗性である。アクリルはまた高い耐熱性であり、比較的かなりの熱量を生成するＬＥＤのような光源との組合せで使用される特に適切な物質を作る。ラテックス及びアクリルが、共に用いられてもよい。
【００８２】
好ましい実施例では、ポリオレフィン分散が、（例えば接着材層を引き続き供給するため主要層上の）前被覆及び／又は接着材層自体として使われる。適切なポリオレフィン分散は、例えばダウケミカル者のＨＹＰＯＤＴＭである。これらは、高分子量熱可塑性物質及びエラストマのパフォーマンスを高い固形水性の分散のアプリケーション利点と組み合わせるプロピレン及びエチレンベースの分散である。ポリオレフィン分散は、従来の被覆装置を使用して、熱可塑性支持材を付与可能にすることにより、カーペット製造業者へ利点を供給できる。例えば、ＰＶＢ（ポリビニルブチラール）又はポリプロピレンのカーペット支持材を使用して、紫外線透過性を増大させると同時に、ＵＶ感度の課題が解決される。よって、他の適切なポリオレフィン分散は、ＰＶＢベースの分散である。しかしながら、他の熱可塑性物質が、さらにより高い光透過性を持ってもよい。幾つかの実施例では、接着材層は、光に対して透過性であり、光源を有する。
【００８３】
本発明の他の実施例によると、房のあるカーペットは、更に、主要な裏地層から離れて対向する光源の側に位置される反射層を有する。反射層は、光を堆積表面に向けることができ、房のあるカーペットから放射される光の強度を増大する。例えば、反射層は、光源とカーペット底部層との間に設けられる。代わりに、第２の裏地層底部表面とカーペット底部層との間に、反射層が設けられてもよい。光源が接着材層内に実質的に設けられると仮定すると、接着材層と第２の裏地層との間に、反射層が設けられてもよい。斯様な反射層は必ずしも統合された層である必要はなく、また例えば接着性の観点から部品から成ってもよい。カーペット底部層が反射層自体でもよい。反射は、鏡面又は拡散でもよい。よって、反射層は、散乱層でもよい。よって、任意の接着材層、任意の反射層又は任意の散乱層は、主要な裏地層と実質的に同じ長さ及び幅を持つ統合された層でもよいが、部品から成ってもよい。例えば、主要な裏地層と第２の裏地層との間の良好な接着力も達成される、「層領域」である、すなわち主要な裏地層と第２の裏地層との部品が、接着材層により互いに接着され、部品が間に接着材層なしで互いに積層されている。当業者は、所望の結果を得るために、任意の接着材層、任意の反射層又は任意の散乱層の寸法を最適化する。
【００８４】
上述されたように、カーペットユニットは、カーペット又は（複数のカーペットタイルを含む）カーペットタイルである。ここで、房のあるカーペットタイルが更に詳細に説明される。
【００８５】
カーペットに照明機能を供給する願望があるが、カーペット及び照明を床に配置するとき、可撓性にしたいという願望もある。後者は、カーペットタイルを使用することにより、ここで提供される。加えて、カーペットタイルの利点は、カーペットタイルが必ずしも床に接着される必要はなく、カーペットタイルの下に取り付けられる照明システムを交換又は修復することを可能にすることである。しかしながら、カーペットタイルが、例えば床又は斯様な床に設けられるパッドのような他の構造体に接着されることは除外されない。
【００８６】
カーペットタイルは、カーペットタイル上部面（「パイル」）と、カーペットタイル底部面とを持つ光透過性マルチレイヤカーペットタイル（更に、「カーペットタイル」又は「タイル」としても示される）であり、マルチレイヤカーペットタイルは、カーペットタイル上部面及び主要な裏地層底部面を有する房のある主要な裏地層と、主要な裏地層底部面に取付けられる前被覆層と、タイル裏地がカーペットタイル底部面を有する、前被覆層に取付けられた当該タイル裏地とを有する。
【００８７】
好ましくは、マルチレイヤカーペットタイルは、タイル裏地からカーペットタイル上部面への光伝達のためであって、可視範囲の波長を持つ光伝達のため好ましくは０．５―３０％、好ましくは０．５―１５％及び更に好ましくは例えば少なくとも２％又は少なくとも５％のような少なくとも１％の範囲のカーペットタイル光伝達を持つ光透過性カーペットタイル区域を有する。このようにして、丈夫なカーペットは、従来のカーペット生産プロセスに基づいてはいるが、それぞれの層及び／又は層物質を選択するとき、透過性に対する特別な注意を持って供給される。通常のカーペットと比較してカーペットタイルの要件を満足するために、マルチレイヤカーペット構造体が好まれる。
【００８８】
用語「タイル裏地」は、特別なタイプの裏地である。用語「第２の裏地」は、「タイル裏地」を指してもよいが、すべての第２の裏地が「タイル裏地」として適切であるというわけではない。例えば、前述の「ＡｃｔｉｏｎＢａｋ」は、「タイル裏地」として適切ではない。
【００８９】
前被覆層は、特に房結合強度及び好ましくは難燃性の要件を満たす必要があり、タイル裏地は、例えば、ユニット領域当たりの総量、全体の直角度及び縁の直線性、大きさの安定性、カール／半球形及びカットエッジ（すり減り）の損傷の要件を満たすことを要求される。特に高級な使用（例えば、オフィス、学校、ホテル、図書館、病院、交通輸送手段、家の特定の部屋等）でのアプリケーションに対して、これは価値がある。
【００９０】
更に、タイルの使用は、光源が交換、修理又は除去される必要がある場合、関連するカーペットタイルだけが（一時的に）取り除かれる必要があるので、有利である。
【００９１】
示された透過範囲は、特に従来のＬＥＤとすると好ましくは半導体ＬＥＤの場合、例えば光効果を典型的オフィス照明状況の下で見えるようにするために、カーペットタイルを通る十分な透過性を一方では提供するが、他方では、カーペットタイルの下の（例えば光源のような）要素（又は、カーペットタイルの下の他の要素）の可視性を大幅に防止する。光源（又は、電線、反射フォイル、パッドのような他の要素）がもはや隠されないので、カーペットタイルの下の床又は他の要素の可視性は、特に望ましくない。
【００９２】
光源としての半導体ＬＥＤは、小さな寸法のため、特に望まれる。従来技術の斯様な光源は、厚さ１ｍｍ未満であり、（ＰＣＢ（印刷回路基板）のような０．５―１ｍｍ厚の支持構造体を除いて）約０．２ｍｍの範囲でさえあり、又はより小さい。（例えば、支持構造体を含んで１ｍｍの総厚さを持つ）斯様な光源を床に配置するとき、カーペットタイルは、カーペットタイルの（局所的）表面高さにある光源（の存在）に大きな影響なく、カーペットタイルの（局所的）タッチに大きな影響なく光源の上に配置される。それにもかかわらず、カーペットタイルを生産するとき、カーペットタイルの下に光源の存在を考慮することは好ましい。従って、実施例では、タイル裏地は、少なくとも部分的に光源を囲むことができるように配される凹部を有する。
【００９３】
しかしながら、好ましくはその代わりに、光源（及び／又は照明システム、下記参照）にわたってそれ自体を形づくるように（可塑的に）変形できるようなタイル裏地材料が選ばれてもよい。これは、このアプリケーションで提案される材料の大部分の場合である。
【００９４】
よって、光源を付与するとき、カーペットタイルは凹部を有せず、カーペットタイルは光源（又は、照明システムの上、それぞれに）の上に配置されるか、カーペットタイルは凹部を有し、カーペットタイルの凹所は光源の上に配置されるか、又は光源、より特には照明システムは、パッドに含まれ、カーペットタイルがパッドの上に配置される。他の態様では、光透過マルチレイヤカーペットタイルは、凹部を有さない。更に別の実施例では、照明システムは、パッド内に含まれる。
【００９５】
光源は、カーペットと別であってもよく、すなわちカーペットタイルが、実施例では光源を含まなくてもよい。しかしながら、特定の実施例では、光源は、カーペット内で、特にタイル裏地内で、少なくとも部分的に統合されてもよい。従って、実施例では、カーペットタイルは、少なくとも一つの光源を有する。よって、本発明は、特定の実施例では、光源、好ましくは（半導体）発光ダイオード（ＬＥＤ）を有する、光透過マルチレイヤカーペットタイルを供給する。
【００９６】
好ましい実施例では、主要な裏地層は、光反射材料を有する房を有する。例えば、主要な裏地は、薄茶色の糸が房状になっている不織布材料であり、房のある主要な裏地は、前被覆層を適用なしに例えば１―２％の光伝達を持つ。（反射）房の使用は、更に、カーペットから出る光を可能にし、及び／又は光分布を改善し、及び／又は光吸収を低減する。反射率は、例えば１０―４０％の範囲内にある。
【００９７】
複数層のそれぞれの層の材料の選択は、カーペットタイルを通る光源光の伝達に対して更に関連する。例として、主要な裏地層は、ポリプロピレン（ＰＰ）、ナイロン及びジュート、特にＰＰからなるグループから選択される材料を有する。更に、好ましくは、前被覆層は、光透過ラテックス、光透過アクリル及び（ＤＯＷからのＨｙｐｏｄ（商標）のような）光透過ポリオレフィン分散に基づく材料からなるグループから選択される材料を有する。前被覆又は接着剤を光透過性にするために、光散乱又は光吸収粒子を好ましくは実質的に含まないべきである。これが（例えばこれらの粒子の難燃性特性のため）可能でない場合、充填材の量は、好ましくは可能な限り減らされなければならない。代わりに、充填材は、好ましくは光を散乱させないか、又はＣａＣＯ３のような従来の充填材より少なく光を散乱させる他の充填材と置き換えられなければならない。これは、例えば、接着材と比較して類似の光屈折率を持つ充填材を選択することにより達成される。例えば、我々は、Ａｌ（ＯＨ）３がラテックスとの組み合わせで比較的低い散乱を持つことがわかった。我々は、高度な純度（例えば―９９％）持つ充填材の使用が光伝達を改善することもわかった（例えば、通常はカーペットに使用されるＣａＣＯ３充填材は、ＣａＣＯ３の不純物のため、色において褐色がかっていることは知られている）。
【００９８】
現在製造されている大多数のカーペットタイルは、タイル支持材として瀝青又は不透明なポリ（塩化ビニル）層を使用している。これらのタイル裏地は、光伝達を持たず、よって、他の物質が使用されるべきである。従って、他の実施例では、タイル裏地は、透過ポリ（塩化ビニル）（ＰＶＣ）若しくはポリ（ビニルブチラール）（ＰＶＢ）、シリコンゴム、又はポリ（メタクリル酸メチル）（ＰＭＭＡ）からなるグループから選択される材料を有してもよいが、代わりに、ポリプロピレン（ＰＰ）又はポリエチレン（ＰＥ）を主成分とした裏地が使用されてもよい。これらの材料全てが、幾らかの柔軟性及び幾らかの光伝達を持つ第２の裏地として使用できる。よって、これら光透過物質ＰＶＣ、ＰＶＢ、シリコンゴム、ＰＭＭＡ等の何れかが適用される。
【００９９】
タイル裏地は、また、前被覆層に被覆される接着剤を有する。この接着材層は、オプションで上述のスクリムを有してもよい。好ましくは、タイル裏地のために使用される接着材層は、透過ＰＶＣ（ポリ塩化ビニル）、ＰＶＢ（ポリビニルブチラール）、シリコンゴム、ＰＭＭＡ、ＰＥ及びＰＰからなるグループから選択される材料を有する。更により好ましくは、タイル裏地は、透過ＰＶＣ層、ＰＶＢ層、シリコンゴム層、ＰＭＭＡ層、ＰＥ層及びＰＰ層のグループから選択される。最近、裏地が再利用するのが容易であって、環境を害してはならないことを意味する、持続可能なカーペット裏地の成長的需要のため、カーペットタイルのための新型の裏地に対する増大された関心がある。例えば、ＰＥ（例は、ショーによるＥｃｏＷｏｒｘである）を使用して、ポリオレフィン裏地システムを製造することが現在可能であることが示された。ポリオレフィン裏地は、本発明に非常に適している。ポリオレフィン裏地と組み合わせて、本発明は、照明システムがカーペットタイルから容易に分離でき、リサイクルをより容易にするので、ＬＥＤがカーペットタイルに埋められるシステムに付加的な利点を提供する。
【０１００】
また、タイル裏地は、好ましくは、光散乱又は光吸収充填材を実質的に含まない。しかしながら、カーペットタイルのための基準を満たすために、充填材を使用することは必要である。また、これらの場合、光伝達は、類似の屈折率を持つ充填材を使用して、改善された純度を持つ充填材を使用して改善できる。しかしながら、適切な充填材の数は、強い難燃性を持たないので、タイル裏地に対するより大きい。従って、ガラス、Ａｌ２Ｏ３、ＴｉＯ２等のような透過材料が、充填材料として使用される（例えば、あまりに多くの散乱を防止するための屈折率を覚えておきながら充填材料を選択して）。
【０１０１】
カーペットタイルの特定の実施例では、主要な裏地層は、ポリプロピレン（ナイロン又はジュート）を有し、前被覆層は、光透過ラテックス、光透過アクリル及び光透過ポリオレフィン分散ベースの材料からなるグループから選択される材料を有し、タイル裏地は、透過ポリ（塩化ビニル）（ＰＶＣ）、ポリ（ビニルブチラール）（ＰＶＢ）、シリコンゴム、ポリ（メタクリル酸メチル）（ＰＭＭＡ）、ポリプロピレン（ＰＰ）及びポリエチレン（ＰＥ）からなるグループから選択される材料を有する。このようにして、一つ以上の光透過カーペットタイル区域を有するカーペットタイルが供給される。従って、本発明は、また、ここで規定されるマルチレイヤ構造を持つカーペットタイルを提供し、ここで、マルチレイヤカーペットタイルは、タイル裏地からカーペットタイル上面への方向に伝播する光であって、可視範囲の波長を持つ光に対して、０．５―１５％、特に１―１０％、好ましくは少なくとも１％のような好ましくは０．５―３０％の範囲内のカーペットタイル光伝達を有する。このように、用語「区域」は、複数の区域も指す。
【０１０２】
微粒状充填材料が前被覆層及び／又はタイル裏地に使用される場合、充填材料及び前被覆層又はタイル裏地それぞれの屈折率比は、好ましくは約０．９５―１．０５の範囲内にある。
【０１０３】
好ましくは、主要な裏地層は、光透過主要な裏地層である。接着材層又は前被覆層は、好ましくは光透過前被覆層である。タイル裏地は、好ましくは光透過タイル裏地（層）である。このようにして、光透過性であるカーペットタイルが、供給される。タイル裏地は、従来から既知の「第２の裏地」でもよい。タイル裏地は、接着材層でもよい。本願では用語「接着材層」は、他の層、本願では特に前被覆層に接着する（取付けられる）層を指すことに留意されたい。生産の間、タイルは、強度を提供し、例えば、前被覆層の主要な裏地への接着及びタイル裏地の前被覆層への接着を除いて、実質的に接着性を持たない層の形成につながる従来から知られているような硬化、加熱及び／又は乾燥のようなプロセスを受ける。
【０１０４】
タイル裏地は、更に、スクリムを有してもよい。スクリムは、ジュートのようなガーゼ（又はメッシュ）材料であるが、ＰＰ、ナイロン又はファイバガラスで出来ていてもよい。よって、スクリムは、好ましくはガーゼ構造（又はメッシュ構造）を持つ織物を有する。スクリムは、更なる強度をカーペットタイルに供給する。メッシュ（又はガーゼ）構造の利点は、光源からの光がメッシュ（又はガーゼ）を通って比較的容易に伝達されるということである。他の利点は、メッシュによる強度の改善がタイル裏地内の充填材料の更なる低減を可能にすることである。
【０１０５】
材料のタイプ、材料の特定の構成、材料の（層）厚さと房の密度、高さ及び色とは、タイルに所望のカーペットタイル光伝達を供給するように選ばれる。好ましくは、光透過カーペットタイル区域は、１―１５％のような０．５―３０％の範囲内のカーペットタイル光伝達を持つ。しかしながら、光透過性は、１―５％又は０．５―５％のような約０．５―１０％の範囲内のような更に低くてもよい。好ましくは、カーペットタイルのカーペット上面を見ている観察者により、床のような対象物（又は、光源若しくは照明システム（オフ状態において）のような他の要素）の可視性を防止するように、当該光透過性は選択される。好ましくは、光透過カーペットタイルを通る光透過性は、少なくとも２％のような、少なくとも１％である。
【０１０６】
他の観点では、本発明は、本願で説明されているように、複数の光透過マルチレイヤカーペットタイルを有するカーペット構造体、特にカーペットを敷かれた床にも関する。斯様なカーペットを敷かれた床は、ガラス床のような透明な床に配置される。このようにして、カーペットタイルの下からカーペットを敷かれた床が配置される空間への光が供給される。
【０１０７】
本発明の幾つかの実施例が、更に、カーペット構造体の例として、カーペットを敷かれた床に関して説明される。しかしながら、カーペット構造体は、天井カーペット又は壁カーペットとして適用されてもよい。本願において、用語「カーペットを敷かれた床」は、複数のカーペットタイルを有するカーペットで部分的に少なくともカバーされた床に関する。従って、用語「カーペットを敷かれた床」は、カーペットタイルで部分的に少なくともカバーされた床を指す。用語「カバーされた」は、床とカーペットタイルとの間に光源、照明システム又はパッドの存在を除外しない。
【０１０８】
例は、壁又は屋根カバーとして用いられる房のあるカーペットタイルである。本願では、用語「房のあるカーペットタイル」は、「カーペットタイル」としても示される。
【０１０９】
本発明の実施例は、単なる例として、対応する参照符号が対応する部品を示す添付の模式図を参照して説明されるだろう。
【図面の簡単な説明】
【０１１０】
【図１】図１は、カーペットユニットと本実施例ではバックライトシステムとを有するカーペット構造体の実施例を模式的に表す。
【図２】図２ａ及び図２ｂは、（バックライトシステムの）照明ユニットの実施例を模式的に表す。
【図３】図３ａ乃至図３ｃは、カーペットユニットの実施例を模式的に表す。
【図４】図４ａ乃至図４ｄは、バックライトシステムの照明ユニットの特定の実施例を模式的に表す。
【図５】図５は、カーペットユニット、（バックライト装置からのような）光源及び制御ユニットを有する照明装置と任意のセンサとを模式的に表す。
【図６】図６は、（情報の例として）矢印を示しているカーペットユニットの上面図を模式的に表す。
【図７】図７ａ乃至図７ｃは、光放射カーペットの実施例を模式的に表す。
【図８】図８ａ乃至図８ｄは、光放射カーペットタイルの実施例を模式的に表す。
【図９】図９ａ乃至図９ｊは、照明装置の実施例を模式的に表す。
【発明を実施するための形態】
【０１１１】
図１は、カーペット、カーペットタイル又は複数のカーペットタイルのようなカーペットユニット１を模式的に表す。カーペットユニットは、人々が例えば歩き、カーペットユニット１のユーザに普通向けられたカーペットユニット表側面２と、カーペットユニット背面３とを持つ。
【０１１２】
例えば、この模式的に表された実施例では、カーペットユニット１の背面３に配置される照明ユニット１１０が表される。
【０１１３】
照明ユニットを背面３に配置する利点は、照明ユニットがカーペットユニットと別々でありえることである。これによって照明ユニットが再編成でき、将来はいつでも交換でき、これはまた、標準化されたカーペットと照明との組み合わせが作られる必要はないので、全体のシステムに対するコストを減らす。この記述の後半で、我々は、カーペットユニットの裏面に配置されるカーペットユニットと別々である照明ユニットに焦点を当てるだろう。しかしながら、照明ユニットが前述されたようにカーペットユニット内に統合されていてもよいことは、考慮されるべきである（例えば、照明ユニットがカーペットユニットの接着材層に埋められている）。各照明ユニット１１０は、少なくとも一つの光源を有する（下記参照）。一つ以上の照明ユニット１１０は、参照符号１００で示されるバックライトシステムを一緒に形成する。
【０１１４】
この模式的に表された実施例では、カーペットユニット１が光源の光１１２に対して透過性である変形例が表わされる。よって、光１１２は、カーペットユニット１から表側面２に漏れる。好ましくは、照明ユニット１１０は、表側面２を見ているユーザには見えない。カーペットユニット１及びバックライトシステム１００の組合せは、カーペット構造体１０としても本願で示されている。このようにカーペット構造体１０は、バックライトシステムとカーペットユニット１とを有し、カーペットユニット１の背面３がバックライトシステム１００と隣接する（より正確に言うと、バックライトユニット表側面と隣接する、下記参照）。
【０１１５】
図２ａ及び図２ｂは、照明ユニット１１０の実施例を模式的に表し、照明ユニット１１０は、基板１４０、光１１２を生成する少なくとも一つの光源１１１、少なくとも一つの光源１１１を有する照明ユニット表側面１２０、及び照明ユニット裏側面１３０を有する。好ましくは、総高さは、３ｍｍ以下、特に１．５ｍｍ以下である。
【０１１６】
図３ａは、積層体３１３０を有するカーペットユニット１の実施例を模式的に表す。カーペットユニットは、房７１２を形成する糸７１１を有する主要な裏地７１０を有する。糸７１１は、主要な裏地層７１０から延在し、房７１２はカーペットユニット表側面２から延在する。積層体３１３０は、更に、接着材層７３０を有する。一般に、糸７１１は、接着材層７３０に部分的に深く入りこむ。接着材層７３０は、主要な裏地７１０と裏地７２０との間に「挟まれている」。裏地７２０は、カーペットの第２の裏地でもよいし、カーペットタイルのためのカーペットタイル裏地でもよい。裏地７２０は、カーペットユニット背面３（上記参照）として示される外表面を持つ。
【０１１７】
図３ｂ及び図３ｃは、複数のカーペットタイル３００（３ｂ）を有するか、又は（「幅広絨毯」）カーペット２００（３ｃ）をそれぞれ有するカーペット構造体１０の実施例を模式的に表す。前者の表側面２及び背面３は、参照符号３０２及び３０３で（も）それぞれ示され、後者の表側面２及び背面３は、参照符号２０２及び２０３で（も）それぞれ示される。
【０１１８】
図４ａ乃至図４ｃは、バックライトユニット１１０の実施例を模式的に表す。図４ａでは、光源１１１のアレンジメントの３つの変形が表される。変形（左側）では、光源１１１が照明ユニット表側面１２０に配置され、これにより、照明ユニット表側面１２０は光源１１１を有する。他の変形（中間／右側）では、照明ユニット表側面１２０は、光源１１１又は（トランジスタ、ＭＯＳＦＥＴ、ダイオード、抵抗、マイクロ制御ユニットチップ、キャパシタ等の一つ以上のような）付随的な電子回路（図示されていない）が配置できる基板凹部１２２を有する。光源１１１又は電子回路は、部分的に（中間）又は完全に（右側）は、基板凹部１２２内に沈んでいる。基板１４０の高さは、ｈ１で示され、バックライトユニット１１０の総高さ（任意の光学部品を含む、下記参照）は、ｈ２で示される。
【０１１９】
図４ｂ及び図４ｃは、光源１１１が更に光学部品７０を有する実施例を、側面図及び上面図で模式的に表す。光学部品７０は、光源１１１から光透過カーペットユニット１へ光１１２をガイドするのに適切であり、光学部品７０は、光透過カーペットユニット１の少なくとも一部に深く入りこむのに適切である（下記参照）。図４ｂの左及び右側の変形は、先の尖った上面７１として示される鋭い上面を持ち、図４ｂの中間の変形は、平坦な上面７２を持つ。参照符号７４は、光学部品７０の外面を示す。光学部品７０は、ピラミッド状、円筒状、円錐等から成るグループから選択された構造体７５を有する。図４ｃは、左側の変形がピラミッド形状を持ち、中間の変形が円筒形状を持ち、右側の変形が円錐形状を持つ、変形の上面図を模式的に示す（必ずしも図４ｂに表わされるのと同じである必要はない）。光学部品の高さは、参照符号ｈ３で示される。
【０１２０】
図４ｃ及び図４ｄの光学部品は、カーペットユニットへ光学部品の浸透を容易にするためにカーペットユニットを溶かせる加熱要素を備えてもよい。加熱要素は、光学部品の外面の少なくとも一部に配置される、ワイヤ又は金属プレートレットのような導電要素である。カーペットユニットをバックライトシステムに適用するとき、加熱要素は、好ましくは５０―２００℃の範囲の温度まで加熱される。このようにして、裏地層の一部が溶解され、これにより、裏地層に浸透することをより容易にして、光学部品の少なくとも一部を収容する。例えば、伝導ワイヤ内で、電流が伝導ワイヤを加熱するために生成され、これにより隣接するカーペットユニット部分を加熱する。電流は、（外部的な）源を導電要素に接続して、導電要素を通る電流をガイドすることにより生成される。他の実施例では、電流は、誘導結合により生成される。
【０１２１】
図４ｄは、カーペットユニット１が予め形成されるか又は既定の形状のカーペットユニット凹部５（左側の変形）を有する実施例を模式的に表す。中間の変形は、光源１１１及び／又は任意の電子回路が照明ユニット凹部１２２内に沈み、右側の変形では、カーペットユニット１の背面３が光源１１１（及びオプションで照明ユニット１１０）の存在に適合したことが示される、照明ユニット１１０の実施例を示す。上記に示されるような鋭い光学部品７０は、裏地層の一部を浸透し、オプションで接着材層にさえ達するために使用される。鋭い光学部品７０は、好ましくは主要な裏地層には浸透しない。
【０１２２】
図５は、本願に説明されているように、光１１２を生成する光源１１１（及び／又は１１１’）、制御ユニット１５０及びカーペットユニット１を有する照明装置１０００の実施例を模式的に表す。制御ユニット１５０は、一つ以上の入力信号を受信するように設定され、前記一つ以上の入力信号に応じて、光源１１１（及び／又は１１１’）により生成される光１１２（及び／又は１１２’）を制御するために一つ以上の出力信号を生成するように設定され、ここで、少なくとも一つの入力信号は（光）センサ１６０から受け取られる。光源１１１はバックライトユニット１１０の一部でもよいし、又はカーペットユニット１内に統合されてもよいが、実施例では（加えて、又は代わりに）、カーペットユニット１の外にあってもよく、後の変形は、参照符号１１１’及び光１１２’で示されることに留意されたい。両方のオプションは、装置１０００に含まれない。更に、例証として、カーペット内に統合される（光）センサ１６０の実施例が表され、カーペットユニット背面３のセンサ１６０の実施例が表され、外部センサ１６０が表される。一つ以上の斯様なセンサ１６０が適用される。入力信号は、一つ以上のセンサ１６０から受け取られ、及び／又はユーザ入力デバイス１７０から受け取られる。本発明では、照明装置１０００は、好ましくはカーペットバックライトシステム１００に含まれる少なくとも一つの光源１１１を有する。
【０１２３】
図６は、カーペットユニット上部表面２で見たカーペットユニット１の例を模式的に表していて、バックライトシステム１００における及び／又はカーペットユニット１に埋められた光源として光源１１１がカーペットユニット上部表面２の後ろに付与されている。このようにして、例証として情報４００、この例では矢印を示すカーペット構造体１０の実施例が提供される。
【０１２４】
図７ａ乃至図７ｃは、主要な裏地層７１０（図７ａ）と、主要な裏地層７１０及び第２の裏地層８１２０（図７ｂ）と、主要な裏地層７１０、接着材層８１３０及び第２の裏地層８１２０とを有するカーペット２００の実施例それぞれを模式的に表し、後者において、接着材層８１３０は、主要な裏地層７１０と第２の裏地層８１２０との間に配置されている。接着材層８１３０は、領域（表されていない）も有し、すなわち、接着材層８１３０は、主要な裏地層７１０の一部と第２の裏地層８１２０との間に配置される。しかしながら、好ましくは、接着材層は、接着がカーペットの全表面上に保証される（これはカーペットを所望のサイズに切断するときに重要である）ように、主要な層と第２の層との領域を完全にカバーする。
【０１２５】
主要な裏地層７１０は、主要な裏地層上部表面７１１１及び主要な裏地層底部表面７１１２を持つ。第２の裏地層８１２０は、第２の裏地層上部表面８１２１及び第２の裏地底部表面８１２２を持つ。接着材層８１３０は、接着材層上部表面８１３１及び接着材層底部表面８１３１を持つ。カーペットは、カーペットユニット表側面２、すなわち歩いたり休んだり物を配置したりすることを目的とするカーペット表側面と、カーペットユニット背面３とを持つ。主要な裏地層７１０及び任意の第２の裏地層８１２０及び任意の接着材層８１３０は、一つ以上の層のスタック又は積層体を形成し、より正確に言うと、「境界」としてカーペットユニット背面３及びカーペットユニット表側面２を持つカーペット２００を形成する。
【０１２６】
図７ａでは、カーペットユニット背面３は、主要な裏地層底部表面７１１２と実質的に一致する。図７ｂでは、主要な裏地層底部表面７１１２は、第２の裏地層上部表面８１２１と隣接し、カーペットユニット背面３は、第２の裏地層底部表面８１２２と実質的に一致する。図７ｃでは、主要な裏地層底部表面７１１２は接着上部表面８１３１と隣接し、接着底部表面３０２は第２の裏地層上部表面８１２１と隣接し、カーペットユニット背面３は第２の裏地層底部表面８１２２と実質的に一致する。用語「底部」及び「上部」は、明快なやり方で、主要な裏地層、接着材層（下記参照）、第２の裏地層及び積層体のような対象物の異なる表面を単に説明するために用いられることに留意されたい。用語「底部」及び「上部」の使用は、クレームされる本発明のカーペットを制限しないし、添付の図面に模式的に表される構成にその使用を限定もしない。主要な裏地層７１０は、主要な裏地上部表面７１１１で、房７１２、ここでは、閉ループ房を形成する糸７１１を具備する。カーペットユニット表側面２は、「カーペット側」又は「カーペットとしてその使用の間、ユーザに向いている側」として、本願では示される。
【０１２７】
代わりに、更に他の実施例では、カーペットは主要な裏地層７１０及び接着材層を有するが、第２の裏地層８１２０を有さない。これは、図７ｃに模式的に表される実施例であるが第２の裏地層８１２０なしの図７ｃに模式的に表される実施例であり、よって、接着材層底部表面８１３１がカーペットユニット背面（よって、ここではカーペット背面２０３）と一致する。
【０１２８】
例証として、図７ｃは、カーペット２００が、参照符号７１０４で示される少なくとも一つの透過カーペット区域を有することも示す（好ましくは、透過カーペット区域は、カーペットと同一サイズを持つ（よって、これは、カーペット２００全部が透過性であることを意味する））。光源１１１は、カーペットタイル３００の下に配置される。光源１１１は、照明１１２を供給し、少なくともその一部はカーペット２００を通って漏れる。カーペット２００から下流の光１１２は、「カーペット光」と呼ばれ、参照符号１１２で（も）示される。
【０１２９】
従って、カーペット２００は、タイル裏地７１２０からカーペット表側面３０２への方向に伝播し可視範囲の波長を持つ光１１２に対して、好ましくは０．５―３０％の範囲で光透過性を持つ光透過カーペットタイル区域７１０４を有する。
【０１３０】
図８ａ乃至図８ｄは、カーペットタイル３００の実施例を模式的に表す。
【０１３１】
図８ａは、カーペットタイル表側面３０２及びカーペットタイル背面３０３を持つ光透過マルチレイヤカーペットタイル３００の実施例を模式的に表す。マルチレイヤカーペットタイルは、カーペットタイル表側面３０２及び主要な裏地層底部表面７１１２を有する房のついた主要な裏地層７１０を有する。カーペットタイル上部表面は、参照符号７１２で示される房により形成されるカーペットの表面又は上部である。房７１２は、糸７１１で出来ている。主要な裏地７１０の上部表面は、参照符号７１１１で示される。主要な裏地層７１０のこの上部表面７１１１を通って、糸７１２が突出する。糸７１１は、人々が歩くこと等ができる堆積表面（すなわちカーペットタイル表側面３０２）から突出する房７１２を形成するために、主要な裏地層７１０を貫通する。
【０１３２】
糸７１１は通常緩く、（接着材層又は前被覆層からの）接着剤で接着される必要がある。主要な裏地の後ろにある接着材層は、房を主要な裏地層に接着させ、適所に房７１２を保持する。（従って）カーペットタイル３００は、更に、主要な裏地層底部表面７１１２に取付けられる前被覆層７１３０を有する。前被覆層７１３０は、主要な裏地層底部表面７１１２に被覆されている。このようにして、主要な裏地層底部表面７１１２と、参照符号７１３１で示される、このようにして形成された前被覆層７１３０の上部表面とは、隣接するか又は混交される（結びつけられる）。
【０１３３】
カーペットタイル３００は、更に、前被覆層７１３０に取付けられるタイル裏地７１２０を有する。タイル裏地７１２０は、タイル裏地上部表面７１２１及びタイル裏地底部表面７１２２を有する。タイル裏地は実質的に前被覆層底部表面７１３２に供給される接着剤から成るので、前者は前被覆層底部表面７１３２と隣接している。タイル裏地７１２０は、カーペットタイル背面３０３を有する。この実施例では、タイル裏地底部表面７１２２は、カーペットタイル背面３０３である。
【０１３４】
カーペットタイル３００は、総高さｈを持つ。カーペットタイル３００の縁は、参照符号７１０３で示される。
【０１３５】
図８ｂは図８ａと実質的に同様であるが、例として、ループがカットされた房７１２が模式的に表される一方、図８ａではループされた房７１２が示されている。
【０１３６】
図８ｃは、タイル裏地７１２０が更にジュートマットのようなスクリム７１３５を有する実施例を模式的に表す。一般に、スクリムは、タイル裏地７１２０の接着材料に埋め込まれる。
【０１３７】
カーペットタイル３００は、（ａ）（パイルを形成するため）光透過主要な裏地を通るファイバに房をつけるステップと、（ｂ）光透過前被覆接着剤コーティングを主要な裏地７１０の主要な裏地層底部表面７１１２（このようにパイルと反対側）に付与するステップであって、対向するファイバを主要な裏地７１０に固定し、これにより前被覆層７１３０を供給するステップと、（ｃ）光透過裏地接着剤を前被覆層７１３０の背面に、すなわち前被覆層底部表面７１３２に及びオプションでスクリム７１３５に付与し、これによりタイル裏地７１２０を供給するステップと、（ｄ）カーペットタイルのカーペットを例えば０．５×０．５ｍのサイズで切断するステップとを有する方法により作られる。
【０１３８】
房のあるカーペットは、通常はナイロン、ウール又はポリプロピレン糸を使用して房が作られる主要な裏地層を一般に有する。その後、ラテックスのような接着剤の被覆は、適所に束を係止するために、カーペットの底部上に広げられる。これは、前被覆（ラテックス）層と呼ばれる。前被覆層７１３０は、房に強度（いわゆる房結合強度）を供給する。更に、前被覆層７１３０は、接着剤が接着材層（下記参照）からカーペットタイル表側面３０２の方向に房（の間にある開口部）を通って染み出すことを実質的に妨げるように使用される。
【０１３９】
前被覆層は、炭酸カルシウムのような光散乱又は光吸収充填材料を好ましくは（可能な限り）含まない。しかしながら、充填材は、必要な難燃性を達成するために必要である。これらの目的のために、充填材が加えられ、好ましくは、これらの充填材は低い量に選択され、充填剤は接着材にできるだけ近い屈折率で選択される。難燃性材料の例として、（接着剤に加えて）前被覆層７１３０は、アルミニウム三水和物（Ａｌ（ＯＨ３）（ＡＴＨ））、酸化マグネシウム（ＭｇＯ（ＭＤＨ））及び亜鉛ホウ酸塩（Ｚｎ（ＢＯ３）２（ＺＢ））、三酸化アンチモン（Ｓｂ２Ｏ３（ＡＯ））からなるグループから選択される一つ以上の材料を有する。実験で、我々は、特にアルミニウム三水和物が、光の屈折率における受け入れられる整合のため、それがラテックスと組み合わせて使用されるとき、良好な光伝達を持つとわかった。
【０１４０】
前被覆層が乾燥した後で、前述の材料のようなタイル裏地接着剤の付加的な層が、従来から知られた（例えばＰＶＣ裏地を付与する）方法を使用して、（いわゆるタイル裏地又はタイル裏地層を供給するために）付与される。オプションでは、（ガーゼ構造体を持つ）スクリム７１３５が付与される。通常、スクリム７１３５は、スクリム７１３５がタイル裏地接着剤に沈むように硬化されていないタイル裏地層に付与される。スクリム７１３５の目的は、カーペット構造体に追加の強度を与えることである。タイル裏地接着剤は、その後硬化される（方法は、使用されるタイル裏地材料のタイプに依存する）。その後、カーペットは、カーペットタイル３００へ切断される。このようにして、マルチレイヤカーペットタイル３００が供給される。
【０１４１】
このように、タイル裏地７１２０は、タイル裏地接着材層７１３０及びスクリム７１３５の上述の組合せでもよいが、タイル裏地接着剤自体でもよい。一般に斯様なスクリム７１３５は、タイル裏地７１２０を供給するために、接着材層を硬化／乾燥する前に接着材層に埋められる。
【０１４２】
カーペットとカーペットタイル３００との間の違いは、後者がより固い又は堅いということである。さもなければ、組み込まれるときにカーペットタイルがその位置にとどまらないので、これは重要である。典型的なタイルの要件は、ユニット領域当たりの総量（例えば緩く横たわるタイルに対して、３．５ｋｇ／ｍ２より大きく）、寸法（例えば公称の寸法の±０．３％、同じバッチの±０．２％）、縁の直角度及び強度（例えば両方向に±０．１５％）、大きさの安定性（例えば両方向の収縮及び伸長が０．２％以下）、カール／半球形（例えばその平面からサンプルの一部の最大偏差２ｍｍ以下）、及び例えばカット縁の損傷（すり減り）なしである。更に、カーペットタイル３００の寸法は、カーペットと異なる。一般に、カーペットタイル３００は１ｍ２以下の領域を持つが、通常は、領域は０．５ｍｘ０．５ｍ＝０．２５ｍ２である。カーペットタイル３００は、更に、ＮＥＮ―ＥＮ１３０７（ＩＣＳ５９．０８０．６０、６月１１１８）、特にアネックスＡを満足するように規定される。更に、一般的房結合強度試験はＡＳＴＭＤ１３３５である。ＵＭ４４ｄからの標準は、閉じたパイルに対して６．２５ポンド及び切られたパイル平均に対して３．０ポンドである。
【０１４３】
カーペットタイル３００に関して、糸の充てん密度、糸の色及び長さ、タイル裏地７１２０のタイプ、及び主要な裏地層７１０とタイル裏地７１２０の間のような、接着材層７１３０のタイプは、カーペットタイル３００の下に配置される光源１１１の光伝達を可能にするカーペットタイル３００を供給するように選択できる。
【０１４４】
カーペットタイル３００は、少なくとも部分的に透過性であるように特に設けられる。本願において、用語「少なくとも部分的に透過性である」は、カーペットタイル３００の少なくとも１つ以上の部分が透過性であることを示す（すなわち、特に（カーペットタイル３００の底部表面（下記参照）のような）カーペットタイル３００の一方の側からの光が、カーペットタイル３００を貫通し、（カーペットタイル３００の上部表面（下記参照）のような）カーペットタイル３００の反対側に到達できる）。斯様な部分は、本願では、例えば図２ａに見られるように、「透過性カーペットタイル区域」として示される。用語「区域」は、伝達がカーペットタイル３００上で変化することを示すために用いられる。しかしながら、主要な裏地層７１０、前被覆層７１３０及びタイル裏地７１２０それぞれの実質的な不均質がない場合、タイル３００全体が、本願で示される伝達を持ってもよい。光がカーペットタイル背面３０３（下記参照）からカーペットタイル表側面３０２（下記参照）へ伝達されるとき、これは結果的にこのように房のある表面（すなわちカーペットタイル表側面３０２から）から放射される光となる。
【０１４５】
従って、本発明は、カーペットタイル表側面３０２及びカーペットタイル背面３０３を持つ光透過マルチレイヤカーペットタイル３００を特に供給し、当該マルチレイヤカーペットは、（ａ）カーペットタイル表側面３０２及び主要な裏地層底部表面７１１２を有する房のある主要な裏地層７１０と、（ｂ）主要な裏地層底部表面７１１２に取り付けられた前被覆層７１３０と、（ｃ）前被覆層７１３０に取り付けられたタイル裏地７１２０とを有し、前記タイル裏地はカーペットタイル背面３０３を有し、マルチレイヤカーペットタイル３００は、タイル裏地７１２０からカーペットタイル表側面３０２の方向へ伝播し、可視範囲の波長を持つ光１１２に対して、１―１０％、１―１５％のような０．５―３０％の範囲のカーペットタイル光伝達を持つ。
【０１４６】
図８ｄは、光透過特性を特に参照したカーペットタイル３００の実施例を模式的に表わす。カーペットタイル３００は、参照符号７１０４で示される少なくとも一つの透過カーペット区域を有する（好ましくは、透過カーペット区域はカーペットタイルと同一サイズを持つ（これは、カーペットタイル３００全体が透過性であることを意味する）。光源１１１は、カーペットタイル３００の下に配置される。光源１１１は、光１１２を供給し、その少なくとも一部はカーペットタイル３００を透過する。カーペットタイル３００下流の光１１２は、参照符号１１２で（また）示され、「カーペット光」と呼ばれる。
【０１４７】
従って、マルチレイヤカーペットタイル３００は、タイル裏地７１２０からカーペットタイル表側面３０２の方向に伝播し、可視範囲の波長を持つ光１１２に対して、０．５―１５％のような好ましくは０．５―３０％の範囲、好ましくは少なくとも１％のカーペットタイル光伝達を持つ光透過カーペットタイル区域７１０４を有する。
【０１４８】
用語「光透過カーペットタイル区域」及び「カーペットタイル光伝達」は、光がタイル裏地７１２０からカーペットユニット表側面２へ前記マルチレイヤを通って伝達されることを示すために特に用いられる。用語「可視範囲の波長を持つ」は、可視波長範囲内の少なくとも一つの波長で、カーペットタイル３００の透過カーペット区域７１０４がこの波長に対して透過性であることを示す。しかしながら、透過カーペット区域７１０４は、通常は波長帯域のように複数の波長に対して透過性である。
【０１４９】
タイル裏地７１２０又は、凹部が存在するか若しくは光源がタイルに埋められる（下記参照）場合にタイル裏地７１２０の少なくとも一部を通ったり、前被覆層７１３０を通ったり、房のある主要な裏地層７１０を通って進む光の伝達が測定される。カーペットタイル表側面３０２の下流の光の強度は、タイル裏地７１２０の上流の光の強度に関係する。伝達を決定するためタイル裏地７１２０に発せられた光は、通常の入射の下、タイル裏地７１２０（又はその中の凹部）に好ましくは向けられ、カーペットの反対側で統合された光放射全体が測定される。
【０１５０】
本発明の更なる実施例によると、接着材層（又は、前被覆層）７１３０は、ラテックスを有する。ラテックスは、特に光透過性ラテックスである。接着材層が実質的にラテックスから成ることに留意されたい。ラテックスは、スチレン、ブタジエン及び酸性のビニル単量体の三量体に基づいている。接着層（又は、前被覆層）７１３０が実質的に光浸透性ラテックスから成り、光散乱又は光吸収粒子を実質的に有しないとき、光源からの光は接着材層を通って効率的に進む。よって、好ましくは、光散乱又は光吸収充填材が接着剤（又は、前被覆層）７１３０に使用されず、接着材層（又は、前被覆層）７１３０は光透過性である。従って、実施例では、接着材層（又は、前被覆層）は、光散乱又は光吸収粒子がない。用語「がない」及び関連句又は関連用語は、「実質的にない」ことを示す。前被覆層７１３０が（例えばこれらの粒子の難燃性のため）充填材を含まないようにできない場合、充填材の量は、好ましくは可能な限り減らされなければならない。代わりに、充填材は、光を実質的に散乱させない他の充填材で置き換えられる。これは、接着材料と比較して類似の光屈折率を持つ充填材を選択することにより達成される。
【０１５１】
本発明の更なる実施例によると、接着材層（又は、前被覆層）７１３０は、アクリルを有する。このアクリルは、光透過性アクリルである。接着材層（又は、前被覆層）７１３０が実質的にアクリルから成ることに留意されたい。アクリルの例は、ポリアクリレートエステルである。アクリルの利点は、硬度である。アクリルは高い耐熱でもあり、これは比較的かなりの熱量を生成するＬＥＤとの組合せで使用されるのに特に適切な材料を形成する。ラテックス及びアクリルが、組み合わせて使用されてもよい。
【０１５２】
好ましい実施例では、ポリオレフィン分散が、前被覆層７１３０として使われる。適切なポリオレフィン分散は、例えばダウケミカル社のＨＹＰＯＤ（商標）である。これらは、高分子量熱可塑性材料及びエラストマのパフォーマンスを高い固体水性分散のアプリケーション利点と結合させる、プロピレン及びエチレンベースの分散である。ポリオレフィン分散は、製造業者が、従来の被覆機器を使用して熱可塑性裏地を付与できることにより、カーペット製造業者へ利点を供給できる。例は、例えばＰＶＢ（ポリビニルブチラール）又はポリプロピレンである。他の適切なポリオレフィン分散は、ＰＶＢベースの分散である。従って、実施例では、接着材層（又は、前被覆層）は、好ましくはアクリル接着剤及びポリオレフィン分散接着剤の一つ以上を有する。
【０１５３】
タイル裏地７１２０は、また、前被覆層７１３０に被覆される接着剤を有する。この接着材層は、オプションで上述のスクリム７１３５を有する。好ましくは、タイル裏地７１２０のために使用される接着材層は、透過ＰＶＣ（ポリ塩化ビニル）、ＰＶＢ（ポリビニルブチラール）、シリコンゴム、ＰＭＭＡ、ＰＥ及びＰＰからなるグループから選択される材料を有する。それでも、更により好ましくは、タイル裏地７１２０は、透過ＰＶＣ層、ＰＶＢ層、シリコンゴム層、ＰＭＭＡ層、ＰＥ層及びＰＰ層のグループから選択される。最近、持続可能なカーペット裏地に対する増大する需要のため、カーペットタイルに対する新型の裏地への増大された関心があり、これは、裏地が再利用するのが容易であって、環境を害すべきでないことを意味する。例えば、ＰＥ（例は、ショーによるＥｃｏＷｏｒｘである）を使用して、ポリオレフィン裏地システムを製造することが現在可能であることが示された。ポリオレフィン裏地は、本発明に非常に適している。照明システムがカーペットタイルから容易に外せて、リサイクルをより容易にするので、ポリオレフィン裏地と組み合わせて、本発明は、ＬＥＤがカーペットタイルに埋められるシステムで付加的な利点を供給する。
【０１５４】
カーペットタイル３００の特定実施例では、主要な裏地層７１０は、ポリプロピレン、ナイロン及びジュート特にＰＰからなるグループから選択される材料を有し、前被覆層７１３０は、ラテックス層、アクリル層及び透過ポリオレフィン分散ベース層からなるグループから選択される材料を有し、タイル裏地７１２０は、透過ＰＶＣ（ポリ塩化ビニル）、ＰＶＢ（ポリビニルブチラール）、シリコンゴム、ＰＭＭＡ、ＰＥ及びＰＰからなるグループから選択される材料を有する。
【０１５５】
図９ａ乃至図９ｊは、カーペット構造体１０（上記参照）及び制御ユニット１５０を有する照明装置１０００の実施例を模式的に表し、カーペット構造体１０は、（１）照明ユニット表側面１２０及びユニット裏側面１３０を持つカーペットバックライトユニット１１０を有するカーペットバックライトシステム１００であって、照明ユニット表側面１２０は、光１１２を生成する光源１１１を有して、複数の光源１１１を有するカーペットバックライトシステム１００と、（２）カーペットユニット表側面２及びカーペットユニット背面３を有する光透過カーペットユニット１であって、カーペット２００及びカーペットタイル３００から成るグループから選択される光透過カーペットユニット１とを有し、カーペットバックライトユニット１１０の照明ユニット表側面１２０と光透過カーペットユニット１のカーペットユニット背面３とは隣接し、光透過カーペットユニット１は、カーペットユニット背面３からカーペットユニット表側面２への方向に進む光１１２の少なくとも一部を送り、制御ユニット１５０は、一つ以上の入力信号を受信するように設定され、一つ以上の入力信号に応じて、光源１１１により生成される光１１２を制御するため、一つ以上の出力信号を生成するように設定される。上述のように、センサ１６０は、カーペットユニット１内のようにカーペット構造体１０に統合され、カーペットユニット１に取付けられ、又はバックライトシステム１００に統合されてもよいが、代わりに又は追加的に、センサ１６０は、上記カーペットのようなカーペット構造体１０から外部に配置されてもよい。
【０１５６】
照明装置１０００は、複数のアプリケーションに適用でき、非限定的な数のアプリケーションが、図９ａ乃至図９ｊに模式的に表される。
【０１５７】
図９ａは、照明装置の実施例（一番上の図）を模式的に表し、カーペットユニット１又はより正確に言うとカーペット構造体１０は、デートカーペットのような人々に互いを会わせるために使用される。予定されているか又はタグを着用する人々８０は、参照符号４００で示される光トラックにより互いに結合される（すなわち、トラックは情報４００を供給する）。よって、照明装置は、例えば、ホテルのロビー内の社会的インタラクションの欠如の課題を解決するために適用される。実施例では、制御ユニット１５０（特に模式的図５を参照）は、人々８０がカーペットユニット１のどこに位置されるかを検出して、その後、例えばこれらの人々８０間にラインを引くことによりランダムに人々８０を接続する。人々の存在は、例えば、カーペット構造体１０内の圧力センサ１６０を使用するか、又はカーペット構造体１０から外部のカメラセンサ１６０を使用して検出されてもよい。バックライトシステムからの光源１１１は、ライン形状であるか、又は行及び列を持つマトリックスに配置されてもよい。カーペットユニット１の後のセンサ１６０及び／又はカーペットユニット１より上のセンサ１６０は、人々８０を位置決めするために使用される。
【０１５８】
更に他の実施例では、カーペット構造体１０は、親が子供の位置を特定するのを補助する。照明装置１０００は、成人及び子供両方の位置を追跡することで働き、その後制御ユニットは、親と子供との間の光源を用いて親から子供までラインを引く。
【０１５９】
図９ｂは、照明装置１０００のカーペットユニット１がアイテム指標カーペットユニットとして用いられる実施例を示す（上面図）。例えば、人８０又は対象物等は、人８０又は対象物の下及び／又はその周りに光で照明パターンを示すことにより示される。例えば、カーペット（例えば赤いカーペット）の上を歩くときの課題は、人（例えば有名人）の存在の強調の仕方に焦点が当てられる。ここで提案される解決策は、制御ユニット１５０が、この人８０を囲んでいる光源１１１を起動させることである。例えば、光源１１１は、有名人と共に移動するスポットライトのように見える円形の光パターン（情報４００）を作る。しかしながら、形状は、例えば星又はハート形状等のように異なっていてもよい。カーペットユニット１の後のセンサ１６０又はカーペットユニット１より上のセンサ１６０は、人８０を位置決めするために使用される。
【０１６０】
他の実施例では、照明装置は、人々８０がカーペットユニット１上で失われたアイテムの発見を補助するために使用される。実施例は、対象物が充分に照明された床にあるとき、対象物が暗く見えるという事実を利用する。これは、カーペットユニット上の対象物を特定するのを容易にする。このように、実施例では、人々８０が床に偶発的にアイテムを落としたかどうかを調べる必要があるか又は調べたいとき、制御ユニット１５０は、特定の時間でバックライトシステムの光源をオンにする。例えば、これは、ショーの後、劇場又は映画館においてなされてもよい。
【０１６１】
特定の変形例において、照明装置１０００のカーペットユニット１は、カーペットの上を歩く人８０の足跡を残したままにするために使用される。例えば、人々を更に例えばショップに引き入れる仕方の課題が、これにより解決される。この実施例で提案される解決策は、人々８０が直近歩いたカーペットユニット１上の足跡を残したままにすることである。このようにして、顧客は、特定の場所へ歩いて行った他の人々の注意を引いたことを知りたがるようになり、このことは更に人々をショップへ引きつける。この実施例では、制御ユニット１５０は、人々８０の位置の入力を受信し、その後この位置に対応するバックライトユニット１１０の光源１１１を起動させる。しかしながら、この実施例の代わりに、バックライトユニット１１０に統合される複数の制御ユニット１５０がある。他の実施例では、各制御ユニット１５０は、バックライトユニット１１０近くの他の近くの光源１１１を制御するように設けられてもよい（下記参照）。カーペットユニット１の後のセンサ１６０及び／又はカーペットユニット１より上のセンサ１６０は、人々８０を位置決めするために使用されるが、このアプリケーションでは、特にカーペットユニット１の後のセンサ１６０が適用される。
【０１６２】
代わりの実施例では、足跡は、ビルディングから外に戻る道を見つけるために残っている。これは、例えば、救急隊員がビルを空にしている緊急事態状況において有効である。床は、救急隊員がビルから外へ出れる道を常に見つけられるように、（例えば援助を求めるためであるが、特にビル内でトラブルに出くわした救急隊員を位置決めするために）他人が救急隊員を見つける場所をわかるように、救急隊員のための足跡を残している。好ましくは、足跡を残した人が跡に沿って戻って来るまで、足跡は床に残っている。
【０１６３】
図９ｃは、位置ナビゲーションシステムとして照明装置１０００の使用を模式的に表わす（上面図）。例えば、照明装置は、製品が置かれている、又はデパートの特定の部門等が位置されるサイトに人々８０をガイドするために使用される。事業、製品、部門等は、「＊」で示されるロゴ、商標、会社名等」で例えば識別される。照明装置１０００は、事業、製品、部門等が位置される位置に（情報４００）、人々８０をガイドしている照明パターンを提供する。例えば、情報４００は、ここでは矢印の形で示されずに、「＊」のトラック（跡）の形で示される。参照符号８１は、事業、製品、部門、ホテルルーム、会議室等のようなターゲットを示し、参照符号８３は、入口を示す。斯様なアプリケーションは、特に小売店道案内に使用されるが、他のタイプの道案内に使用されてもよい。
【０１６４】
よって、実施例では、照明装置１０００は、人々８０がビル周辺で道を見つける困難さを持つ場合の課題を解決するために使用される。ここで提案される解決策は、カーペットユニット内の矢印又は他の指標（情報４００）で人々をガイドすることである。制御ユニット１５０は、ビルディング内の人々８０を位置決めするために、カメラ、ＲＦＩＤ検出器、又は圧力センサのようなセンサ１６０からの入力を利用する。しかしながら、ユーザインタフェース１７０が、情報４００を定めるために使用されてもよい。一つの実施例では、照明装置１０００は、ラック又は人々が探している製品を見つけられる他の場所に人々８０をガイドする小売環境で使用される。一つの実施例では、人々８０は、ユーザ入力デバイス１７０で、好適な靴のサイズを持つ靴のような所望の製品を選択でき、結果として、カーペットユニット１は、靴のサイズと整合する靴を提示する位置のような、特定の製品を供給するラックのような場所を、又は当該場所の付近を照明する。よって、カーペットユニット１の後のセンサ１６０及び／又はカーペットユニット１の上のセンサ１６０は、所望の場合、人８０を位置決めするために使用されるが、このアプリケーションのために、特にカーペットユニット１の後のセンサ１６０が適用される。
【０１６５】
更に他の実施例では、照明装置は、人がユーザ制御可能な入力装置１７０（本願では、ユーザインタフェースとしても示される）で示した、探している本へ人々８０をガイドするために、又は少なくとも探している本を含むラックに人をガイドするために、図書館で使用される。
【０１６６】
更に他の実施例では、多くのブースが会議で互いに競合し、人々を自身のブースに引き入れることを困難にしている課題である。この実施例は、自身のブースに人々８０をガイドする光放射矢印を使用して、この課題を解決することを提案する。人々がその方向に行くつもりがない場合であったとしても、人々８０は矢印をフォローする傾向がある。このアレンジメントは、余分の注意を必要とする店又は他のルームに人々８０を引き入れるために使用されてもよい。
【０１６７】
他の例では、照明装置１０００が、会議場で使用される。実施例では、光源は、レセプションから所定の会議室まで着色したラインを形成する。各会議室が、それ自身の色を持ってもよい。会議の人々８０は、彼らの会議を見つけるためにその色をフォローする必要があるだけである。所望の場合、カーペットユニット１は、会議室の入口の付近でロゴ又は他のテキストを示す。
【０１６８】
他の例では、システムは、カンファレンスフェアを通る人々をガイドするために使用される。他の例では、照明装置１０００は、オフィス又はホテルを通る人々８０をガイドするために使用される。この例では、部屋番号は、部屋が見つけ易いようにカーペットユニット１で照明される。制御ユニットは通路の全ての番号をオンにしてもよいし、又は制御ユニットは特定の人８０が探している部屋番号だけをオンにしてもよい。他の例では、システムは、お年寄りのための看護施設又は病院で使用される。看護施設又は病院のアプリケーションの利点は、お年寄り又は病人それぞれにとっては、（背中に問題があるか、歩行に問題がある場合）見上げる代わりに見下ろすことが、より容易であることである。更に、看護施設又は病院それぞれの中で特定の目的地を探すために、お年寄り又は患者（職員も）により使用されてもよい。
【０１６９】
特定の実施例では、案内システムは、ビルの事前に決められた場所への道を示すための複数の指標システムを有する。基本的な実施例の変形例は、図９ｃに表されている。幾つかの＊符号が、隠れているバックライトシステム、又はより正確に言うと、照明ユニット１１０の光源１１１の位置を示すために示されている。しかしながら、特定の変形例では、これら全ての光源１１１が起動されるわけではなく、所定の方向へ歩いている人近くの光源（参照符号８０で示される）だけが起動される。より更には、人８０の変位から、制御ユニット１５０は当たるべき次の光源を決定でき、前記制御ユニットは人８０より前の光源だけを点灯するか、又は他の変形例では、数ステップ先の光源だけを点灯するように設定できる。よって、人８０は、所定の方向へ人をガイドする動的な光をフォローする。これは、「指標システム」とも呼ばれている。指標システムを交替する代替方式が提案される。存在検出で最も基本的なバージョンは、バックライトユニット内に又はその近くに取り付けられる圧力センサによってである。センサ１６０が圧力の（突然の）増加を検出するとき、これは、人８０がバックライトユニット又は情報４００に足を踏み入れたことを意味する。オプションでは、センサ１６０に配置された静止対象物は、圧力の（突然の）変化を引き起こさないので検出されない。
【０１７０】
正確さを改善するために、人８０がバックライトユニット１１０に足を踏み出さないがバックライトユニット１１０近くにいるときに人８０が検出されることも確実にするために、複数のセンサ１６０が、光源１１１周辺に、又は異なるバックライトユニット１１０上にさえ配置される。仮説的には、センサの数は、人が常に検出されることをこのように確実にする床一面をカバーするために増大される。この方法の最大の利点は、ＩＤカードを担持するようなユーザから何も必要としないということである。
【０１７１】
他のオプションは、ＲＦＩＤタグを使用することである。バックライトユニット１１０内の又はその近くに、（ホテルキーカードのような）ＲＦＩＤカードを読み込めて、よって人８０が行く必要がある場所を知るセンサのようなピックアップコイルが取り付けられる。最大の利点は、使用する個人が固有のＩＤにより認識でき、よってシステムが複数のユーザを容易に補助できることである。更に他のオプションでは、ＬＥＤモジュールの近くに配置される存在検出センサで検出がなされる。例えば、存在検出センサは、赤外線動き検出器である。存在を検出するために光の反射を測定するような他のオプションは除外されないので、上記の例が全てではない。更に、オプションが組み合わされてもよい。他の実施例では、バックライトユニット１１０間の通信を含む、バックライトユニット１１０間の接続が説明される。例えば、２つのバックライトユニット１１０は、電力ワイヤ（＋及び−）を使用して、及びデータワイヤを使用して接続される。＋及び−ワイヤは、バックライトユニット１１０全てに電力を供給する。バックライトユニット１１０は、更に、制御ユニット１５０及び当該制御ユニット１５０に接続された圧力センサを有する。第１の状態では、第１のバックライトユニット１１０が起動され、制御ユニット１５０は、人８０が圧力センサを通じてバックライトユニット１１０を切換えるのを待っている。この切換えがなされるとき、第１のバックライトユニット１１０の制御ユニット１５０は第２のバックライトユニット１１０と通信し、その後第１のバックライトユニット１１０が停止され、第２のバックライトユニット１１０が起動される。異なるバックライトユニット１１０の制御ユニット１５０間の通信の間、第１の制御ユニット１５０は、ユーザの目的地を見つける道に関する情報を次の制御ユニット１５０に供給する必要がある。このことがどのように達成されるかという例が、次の実施例で説明されている。
【０１７２】
ビルのレイアウトは知られているので、バックライトユニット１１０がどの順番で起動される必要があるかもわかっている。例えば、受付から部屋へ行くための照明ユニットの順番は、以下の通りであり、前へ、前へ、エントランスルーム１をスキップして、前へ、エントランスルームをスキップして、前へ、左へ、前へ、エントランスルームである。この順番は、「ＦＦＳＦＳＳＦＬＦＥ」のように見えるデータ列で要約できる。このデータは第１のバックライトユニット１１０に送られ、切換えられるとき、このデータ列の第１のシンボルを取り除いて、残りのデータ列を次のバックライトユニット１１０を転送するので、次のバックライトユニット１１０は「ＦＳＦＳＳＦＬＦＥ」を受信するだろう。最終的に左折の矢印に到達されたとき、データ列は「ＦＥ」を含み、これは次の矢印が前へであり、次の矢印が「部屋に入る」を意味する。
【０１７３】
他の実施例は前述の実施例に同様であるが、この場合、起動されるバックライトユニット１１０と中央制御ユニット１５０との間の連続通信がある。この中央制御ユニット１５０は、客が歩いているのを受付にいる人が監視するように、道案内システムを使用している人々８０を追跡する。
【０１７４】
他の実施例では、制御ユニット１５０間で送られるデータは、人８０のターゲット位置についてのデータだけである。この場合、バックライトシステム１００は、どのバックライトユニット１１０が次に起動されるべきであるかを決定するやり方の２、３の方法がある。
【０１７５】
第１に、個々のバックライトユニット１１０は、ビル全体のレイアウトを知っていて、人８０のための次のステップを計画できる。レイアウト情報は手動でバックライトユニット１１０にプログラムできるが、バックライトシステムの自動化されたセットアップの結果でもよい（後の実施例を参照）。
【０１７６】
第２に、バックライトシステムは、中央コントロールユニット１５０と接触できる。この中央コントロールユニット１５０は、起動されるべき次のバックライトユニット１１０を計画し、この情報をバックライトシステム１００へ返す。このアプローチの利点は、レイアウトの変更が容易に実行でき、そうしなければバックライトユニット１１０を完全に再プログラムすることを必要としたであろう。
【０１７７】
他の実施例では、バックライトユニット１１０のネットワーク、すなわちバックライトシステム１００は、自動的にセットアップされる。これは、バックライトユニット１１０がどのように互いと通信するかを決定するために、システムのスタートアップフェーズの間、バックライトユニット１１０が通信することを意味する。制御ユニットのネットワークを自動的にセットアップする方法について様々な方法が知られている。
【０１７８】
通信の他の例は、図９ｄに関係して説明される。
【０１７９】
図９ｄは、座席８２を有するルームの道発見システムの実施例を模式的に表す（上面図）。この実施例は、座席発見実施例も示す。情報４００により、人８０は、その人の席の列又は更に（予約済の）座席８２へガイドされる。カーペット構造体１０内の光源は、所定の位置に人８０をガイドするために、矢印（情報）のような光又は光パターンを供給する。実施例では、システムは、人々８０を座席８２にガイドするために映画館又は劇場等で使用される。映画館及び劇場の使用に対する付加的な利点は、ショーの間に当該案内システムが使用され、さもなければショーの間に観衆を妨げてしまう余分の照明が必要ではないことである。上述した座席発見コンセプトのために変形例では、座席予約がないとき、状況において空いている座席８２に人々８０をガイドすることも可能である。この場合、制御ユニット１５０は、まだ空いている座席８２を持つ通路の隣の光源１１１又は複数の光源１１１をオンにできる。制御ユニット１５０は、（例えば、誰かが座席８２に座っているか否かを感知するセンサ１６０で）どの座席８２がまだ利用できるかを見つけるために、座席８２又は座席８２近くのセンサ１６０から入力を例えば受信する。
【０１８０】
図９ｅは、照明装置１０００が、商標、（情報４００として）ロゴ又は広告を表示するために使用される実施例を模式的に表す（上面図）。他の実施例では、システムは、広告のために使用される。この実施例の利点は、現在余分な多くの空間がビルでの広告に利用できることである。また、照明ユニットが広告を見えなくするためにオフできるので、適当な期間だけの間、広告を示すことが可能になる。例えば、ショーがまだ始まらないとき、広告は劇場内のステージに示される。他の例は、ドアマット上に会社ロゴを持つ入口領域の当該ドアマットである。一つの実施例では、制御システムは、ドアマットに幾つかのロゴを表示できる。これは、現在訪問している会社の会社ロゴを表示するために、ホテル内で例えば使用できる。他の実施例では、照明装置は、隠れたサイン又はディスプレイとして適用される。この利点は、必要でないとき、サイン又はディスプレイが隠されることである。一つの実施例では、部屋に入るときホテルの部屋のサインは、客に（例えば「音声メールメッセージあり」のような）情報を伝える。
【０１８１】
図９ｆは、照明装置が（動的な）キューカーペットユニット１として使用される実施例を模式的に表す（上面図）。カーペットユニット１は、人８０が一列に並ぶ必要があるルートを示す。よって、実施例では、照明装置１０００は、一列に並ぶ人々８０をガイドするために使用される。人々８０が通常歩くかところに位置される一般に使用される物理的バリアの代わりに、バックライトシステムは、人々８０がフォローする床のライン、又はライン間を人々が歩かなければならない当該ラインを描く。現在のアプローチの１つの利点は、列のための境界がもはや必要でないので、審美性が改善されることである。このアプローチの他の利点は、列の長さが変化する場合、列を再編成することがより容易になることである。例えば、列がより短くなるとき、動的な列のラインは、ラインをより短くするためにゆっくり変えられる。例えば、列が多くのカーブを作っているが、特定の時点で１本のカーブがもはや必要でない場合、当該カーブは単に取り除かれる。他の例では、列は、余分の受付机が利用できるようになるとき、２つの列に分けられる。一つの例では、列は、列の後半の人々８０が新しく利用できる受付机へガイドされるように、例えば、列全体の長さの半分で分けられる。人々８０をガイドするために用いられるシンボルは、現在の例のような単純なラインでもよいし、例えばライン又は矢印（等）の方向に向いている足の画像でもよい。
【０１８２】
他の実施例では、照明装置１０００は、会議室又は大きなカーペットユニットの他のパーティションのためのレイアウトを示すためにカーペットユニットにパターンをレイアウトするために使用される。照明装置は、例えば、廊下及びブース番号を示すことができる。
【０１８３】
更なる実施例は、ビル内のスペースの効率的な利用の問題を扱う。ここで提案される解決策は、スペースにマルチな機能の部屋を提供するため本発明を使用することである。例として、部屋は第１の設定としてミーティングルームであり、ここでは制御ユニット１５０は、装飾的パターンを設定し、第２の設定では音楽に反応するディスコルームであり、第３の設定ではフィットネスゲームがカーペットユニット１上でプレイされるフィットネス及びエクササイズルームである。
【０１８４】
図９ｇは、照明装置１０００、よってカーペット構造体１０が、転倒防止照明として使用される。センサ１６０（表されていない）は、例えば、圧力センサ、又は動きセンサとで、カーペット１に人８０の存在を検知し、一つ以上の光源１１１がスイッチオンする。よって、制御ユニット１５０は、例えば人８０が夜にベッドから出るときを検出するためにセンサ１６０を使用する。その場合、装置１００は、バックライトシステムのバックライトユニットの複数の光源をオンする。オプションで、照明装置は、ベッドからバスルーム（示されず）へ人をガイドするように設けられる。これは、夜に、特に人々が未知の部屋内（例えばホテルの部屋内）にいるとき、自分自身を方向づける問題を持つ人々８０の問題を解決する。
【０１８５】
転倒防止照明も、人が検出されるとき階段の輪郭が照明される階段に使用される。この実施例は、図９ｈに模式的に表される。例として、各階段は、少なくとも一つのバックライトユニットを有する、少なくとも一つのカーペット構造体１０を有する。他の実施例で述べられているように、これは、行くべき方向を示す、動的照明（ここでは動的転倒防止照明）である。
【０１８６】
図９ｉは、照明装置１０００が非常通路案内を提供するために使用される実施例を模式的に表す。カーペットユニット１は、ビルを離れる道を示す。特に、一つ以上のセンサ１６０に応じて、制御ユニット１５０は、人々１８０に（情報４００を）外への道を示すために、特定の光源１１１をオンにする。現在の非常口サインは、天井近くの床の上に位置される。このアプローチの問題は、火災の場合、これらのサインがほとんど見えないということである。ここで提案される解決策は、カーペットユニット１０にこれらのサインを位置づけることである。制御ユニット１５０は、必要なとき（典型的には、これは非常の場合にだけなされるか、又は非常の場合でなく非常口位置が人々８０に説明される場合）に、非常口サインをオンにするだけである。非常時の間、制御システムは、人々８０にビルの出口へのガイドを手助けするために、廊下に矢印又は他の指示（情報４００）をオンできる。この模式的図では、参照符号８５は、例えば火災がその部屋内のセンサ１６０で検出された部屋を示す。
【０１８７】
通路又は廊下等内の照明装置１０００のような実施例では、カーペット構造体１０は、カーペットユニット１の光放射機能が閉じられているか、または装飾光放射目的のためだけに使用される第１の動作モードで表示制御ユニットにより制御される。第２の動作モードでは、表示制御ユニットは、安全又は情報信号を表示するためにデータ接続部を介してカーペット構造体を指示する。制御ユニットは、制御安全制御システムからの指示を受け、追加的に制御ユニット及び／又はカーペット構造体１０、すなわちバックライトシステム１００が非常電源により給電される。このアプリケーションは、移動車内に備えられてもよいが、公共の場所、ビル等のような他の区画に対しても適している。カーペットユニットを介した非常口情報の提供は、煙があって、非常システムががれき又は煙のため見えない状況で天井に備えられた非常システムを越えて利点を持つ。
【０１８８】
情報４００は、一つ以上の文字、矢印、ライン、ラインを形成するドット等の形式で示される。ライン内の光のドットを切り換えることは、安全な方向を提供するために使用できる。
【０１８９】
好ましくは、照明装置は、カーペットを通るピーク光出力強度が、光源１１１間の最小離隔が１２インチ（３０．５ｃｍ）で少なくとも３５ｍｃｄであるように選ばれる。より好ましくは、ピーク光強度は、光源１１１間の１０ｃｍ離隔で１５０ｍｃｄより大きく、更により好ましくは１０００ｍｃｄより大きい。カーペットの下にＬＥＤを使用するとき、これは、大まかに１８ｍＷと５００ｍＷとの間のＬＥＤパワーに換算される。安全なシステムは、バス、列車、船及び飛行機のような乗り物で適用されるし、また、ホテル、会議エリア、病院、シアター、教会、映画館等でも適用される。
【０１９０】
より没入した経験をなすために、更なる実施例では、制御ユニット１５０は、環境音からの入力も受け取る。例えば、音声入力は歌声であり、制御システムは、光源が音楽リズムに合うように光源をアドレスする。このようにして、カーペットは、音に「反応する」。
【０１９１】
他の実施例では、照明装置は、ゲーム又はフィットネスエクササイズができるインタラクティブなカーペットユニットを作るために用いられる。典型的には、照明ユニット１１０は、制御ユニット１５０への入力として送られる圧力センサも有する。当該システムは、例えばホテルのロビー、学校及びお店のような多くの場所で使用される。
【０１９２】
他の実施例では、光１１２は、好ましくは上方方向に放射される。これは、暗い色を持つカーペットユニット１、例えば充分な量の糸を持つ黒のカーペットを使用することにより達成される。当該実施例は、ショーの間、実施者がテキストを失うという問題を解決する。ここで提案される解決策は、暗いカーペットユニット１が使用されるカーペットユニット後方に配されるか、又は一体となっている光源１１１により、カーペットユニット１上にテキストを示すことである。視聴者は、広角でカーペットユニット１を見るので、視聴者はテキストを見ることができないのに対し、実施者は容易にテキストを見れる。この実施例では、制御ユニット１５０は、様々なシンボル、例えばアルファベットの全ての文字及び全ての数字を見ることができるカーペットユニット上のテキスト（情報４００）の表示を制御する。このように、情報４００は、観察者に対して隠れている。
【０１９３】
隠れたテキストの同一原理は、例えば、ミュージアムにも使用され、ここで、テキストは、好ましくは展示されている対象物に人が充分近づいて立っている場合にだけ見える。
【０１９４】
他の実施例では、重量計がカーペット構造体１０内に隠れている。制御ユニット１５０は、重量計センサからの入力を受信し、カーペットフロア上の人８０の重量を表示する。この実施例の利点は、重量計が隠れていることである。付加的な利点は、重量計が外されることがないことであり、これは、例えば、アイテムが盗まれ得る例えばホテルの部屋での使用である。
【０１９５】
図９ｊは、照明システム１００が複数の照明ユニット１１０を有し、各照明ユニットが光源１１１、制御ユニット１５０及び光センサ１６０を有する実施例を模式的に示す。バックライトユニット１１０は、光１１２による信号を第１のバックライトユニット１１０から一つ以上の他のバックライトユニット１１０へ送受信するように設けられる。光による信号は、実施例では、コード化された光である。このようにして、バックライトユニット１１０は、一つのバックライトユニット１１０から他のバックライトユニット１１０へ情報を転送する。各制御ユニット１５０は、一つ以上の入力信号を受信し、そのうちの少なくとも一つが制御ユニット１５０を有する同じバックライトユニットに装着された光センサ１６０の入力信号であり、前記一つ以上の入力信号に応じて、制御ユニット１５０を有する同じバックライトユニットに装着された光源１１１により生成される光１１２を制御するための一つ以上の出力信号を生成するように設定される。図では、例として、水平方向のエラーが、一つのバックライトユニット１１０から次のバックライトユニットへの情報の進行方向を示す。
【０１９６】
一般に、バックライトシステム１００は、少なくとも４つのような複数のバックライトユニット１１０を有し、一般に、各バックライトユニット１１０は、少なくとも４つのような複数の光源１１１を有する。
【０１９７】
このように、本発明は、図１に示されるようなカーペット構造体１０と、上述のような一つ以上の光センサ１６０を含むバックライトシステム１００を有する図５に示されるような照明装置１０００とを提供する。本発明は、また、カーペット構造体１０を有するカーペットの床を提供する。
【０１９８】
以下に、センサが光センサである幾つかの（更なる）特別な例が与えられている。一つの実施例では、光センサは、床の上の人、動物又はアイテムを検出するために使用される。これは、センサ上の光強度を監視することにより達成される。光強度が突然下がるとき、このことは、光を遮断するセンサ上に存在物があることを示す。存在物の検出が、ターンオンオフ、強度を変えたり、又は色を変えたり等するように、例えば一つ以上の光源（斯様な光源はバックライトシステムの一つ以上に設けられてもよいし、又は壁若しくは天井のようなカーペットの外部に設けられてもよい）をトリガするために使用される。例えば、光源は、床に情報を表示するように指示されてもよいし、照明の量を増大させるために使用されてもよい。
【０１９９】
一つの実施例では、光センサは、踏み段内にある一つ以上の光センサを使用して、階段の踏み段上の人の存在を検出するために使用される。人が検出されるとき、光源は照明された踏み段を作るために、順にオンされる。ここで、光源は、バックライトシステムの一部でもよいし、外部に設けられてもよいし、両方のオプションが適用されてもよい。
【０２００】
他の実施例では、光センサは、部屋内の他の照明システムのオン／オフ状態を検出するために使用される。例えば、カーペット下のバックライトシステムは、バックライトシステムのための適当な光強度を選択するために、周囲の光強度に関する情報を使用する。さもなければ、バックライトシステムの光強度が、高い周囲強度内で観察できるためにはあまりに低いか、又はバックライトシステムの強度があまりに高くて、カーペット又は複数のカーペットタイルのような、カーペットユニットを人々が見るにはいらつかせるか、盲目的効果か、暗視の喪失を生じるので、これは利点がある。この実施例は、また、光源、制御ユニット及び光センサを有するバックライトユニット内の各光源／光センサ組み合わせに対して、独立して出力光強度を適応させるために使用される。
【０２０１】
他の例では、光センサは、カーペットの下にもある照明システムから光を検出するために使用される（カーペットから反射される光を検出する）。これは、出力強度が適宜応じるように、照明システムの光出力を監視するために使用される。他の実施例では、光センサは、可視光においてコード化される情報信号を検出するために使用される。情報をカーペットの下に位置される光源へどのように送信するかが容易ではないので、これは利益がある。カーペットは光透過性であるので、コード化された光の使用は、実現性がある。戻って、カーペット下の光源は、コード化された光内の情報信号を戻す。これは、例えば、カーペット面の下に位置される照明システムのネットワークをセットアップするのに使用される。
【０２０２】
本発明の様々な観点が付随の独立請求項で設定されているが、本発明の他の観点が、独立請求項の特徴と説明された実施例及び／又は変形例及び／又は付随の従属項との組み合わせを含んでもよく、ただ単に組み合わせが付随の請求項内で明確に設定されるだけではない。
【０２０３】
「実質的に全ての発光」又は「から実質的になる」のようなここで使用されている用語「実質的に」は、当業者により理解されるだろう。用語「実質的に」は、「全く」、「完全に」、「全て」等を持つ実施例をも含む。従って、実施例では、副詞「実質的に」が取り除かれてもよい。適用可能なところで、用語「実質的に」は、１００％を含む９５％以上、９９％以上、９９．５％以上のような９０％以上にも関係する。用語「有する」は、用語「有する」が「からなる」を意味する実施例も含む。
【０２０４】
更にまた、明細書及び請求項内の用語である第１、第２、第３等は、類似の要素間を区別するために使用されるのであって、必ずしも順番又は時系列順を説明するためである必要はない。そのように使用される用語は、適当な環境の下、交換可能であり、本願で説明される本発明の実施例は本願で説明され又は例示されるもの以外の他のシーケンスで動作可能であることは、理解されるべきである。本願の装置は、とりわけ動作中で説明される。当業者には明確であるように、本発明は、動作の方法、又は動作時の装置に限定されない。
【０２０５】
上述の実施例は、本発明を制限するよりはむしろ例示するものであって、当業者は添付の請求項の範囲から逸脱することなく多くの代わりの実施例を設計できることに留意されたい。請求項において、括弧内の参照符号は請求項を制限するものとして解釈されない。動詞「有する」及びその派生語の使用は、請求項内で述べられたもの以外の要素又はステップの存在を排除しない。要素に先行する冠詞「ａ」又は「ａｎ」は、斯様な要素の複数の存在を除外しない。装置クレームにおいて、列挙される幾つかの手段、これら手段の幾つかは、ハードウェアの全く同一のアイテムにより具現化されてもよい。特定の手段が相互に異なる従属項で再引用されているという単なる事実は、これら手段の組み合わせが好適に使用できないことを示すものではない。
【図１】
0005565879.tif 000002
【図２ａ】
0005565879.tif 000003
【図２ｂ】
0005565879.tif 000004
【図３ａ】
0005565879.tif 000005
【図３ｂ】
0005565879.tif 000006
【図３ｃ】
0005565879.tif 000007
【図４ａ】
0005565879.tif 000008
【図４ｂ】
0005565879.tif 000009
【図４ｃ】
0005565879.tif 000010
【図４ｄ】
0005565879.tif 000011
【図５】
0005565879.tif 000012
【図６】
0005565879.tif 000013
【図７ａ】
0005565879.tif 000014
【図７ｂ】
0005565879.tif 000015
【図７ｃ】
0005565879.tif 000016
【図８ａ】
0005565879.tif 000017
【図８ｂ】
0005565879.tif 000018
【図８ｃ】
0005565879.tif 000019
【図８ｄ】
0005565879.tif 000020
【図９ａ】
0005565879.tif 000021
【図９ｂ】
0005565879.tif 000022
【図９ｃ】
0005565879.tif 000023
【図９ｄ】
0005565879.tif 000024
【図９ｅ】
0005565879.tif 000025
【図９ｆ】
0005565879.tif 000026
【図９ｇ】
0005565879.tif 000027
【図９ｈ】
0005565879.tif 000028
【図９ｉ】
0005565879.tif 000029
【図９ｊ】
0005565879.tif 000030